(57)【特許請求の範囲】
【請求項１】
取得ユニットおよび送信ユニット
を含み、
前記取得ユニットは、サービスルートが通過するサービスリンクテンプレート情報を取得するように構成され、前記サービスリンクテンプレート情報は、サービスリンク識別子とサービスリンクに関する情報の対応を示すために使用され、前記サービスリンク識別子は、ユーザ識別情報に対応し、
前記送信ユニットは、NFVオーケストレータ(NFVO)に、前記取得ユニットによって取得された前記サービスリンクテンプレート情報を送るように構成されるため、前記NFVOは、前記サービスリンクテンプレート情報に従って、前記サービスリンクテンプレートのサービスリンクに含まれる仮想化されたネットワーク機能VNFに対するルートおよびリソース構成を実行することを要求する、
運用支援システム/ビジネス支援システムOSS/BSS。
【請求項２】
前記OSS/BSSは、受信ユニットをさらに含み、
前記受信ユニットは、前記サービスリンクテンプレート情報が受信されたことを示す情報を受信するように構成される、
請求項1に記載のOSS/BSS。
【請求項３】
前記受信ユニットは、
前記ルートおよびリソース構成が成功した場合、前記ルートおよびリソース構成が成功したことを示す情報を受信する
ようにさらに構成される、請求項2に記載のOSS/BSS。
【請求項４】
受信ユニットおよび送信ユニット
を含み、
前記受信ユニットは、サービスルートが通過するサービスリンクテンプレート情報を受信するように構成され、前記サービスリンクテンプレート情報は、サービスリンク識別子とサービスリンクに関する情報の対応を示すために使用され、前記サービスリンク識別子は、ユーザ識別情報に対応し、
前記送信ユニットは、ルートおよびリソース構成要求メッセージを送るように構成され、前記ルートおよびリソース構成要求メッセージは、前記サービスリンクテンプレート情報に従って、前記サービスリンクテンプレートのサービスリンクに含まれるVNFに対するルートおよびリソース構成を実行することを要求するために、前記受信ユニットによって受信された前記サービスリンクテンプレート情報を運ぶ、
ネットワーク機能仮想化(NFV)オーケストレータ(NFVO)。
【請求項５】
前記送信ユニットは、
前記サービスリンクテンプレート情報に従って、前記サービスリンクテンプレートの前記サービスリンクに含まれる前記VNFに対する前記ルートおよびリソース構成を実行することを前記NFVOの外部にある第2の通信ユニットに要求するために、前記第2の通信ユニットに前記ルートおよびリソース構成要求メッセージを送るように構成される、
請求項4に記載のNFVO。
【請求項６】
前記送信ユニットは、
前記受信ユニットが、前記サービスルートが通過する前記サービスリンクテンプレート情報を受信した後、前記サービスリンクテンプレート情報が受信されたことを示す情報を送る
ようにさらに構成される、請求項4または5に記載のNFVO。
【請求項７】
前記受信ユニットは、
前記ルートおよびリソース構成が成功した場合、前記ルートおよびリソース構成が成功したことを示す情報を受信する
ようにさらに構成される、請求項4または5のいずれか一項に記載のNFVO。
【請求項８】
ネットワーク機能仮想化(NFV)システムにおけるサービス実装のための方法であって、
運用支援システム/ビジネス支援システム(OSS/BSS)によって、サービスルートが通過するサービスリンクテンプレート情報を取得するステップであって、前記サービスリンクテンプレート情報は、サービスリンク識別子とサービスリンクに関する情報の対応を示すために使用され、前記サービスリンク識別子は、ユーザ識別情報に対応する、ステップと、
NFVオーケストレータ(NFVO)に前記サービスリンクテンプレート情報を送るステップであって、それにより、前記NFVOは、前記サービスリンクテンプレート情報に従って、前記サービスリンクテンプレートのサービスリンクに含まれる仮想化されたネットワーク機能(VNF)に対するルートおよびリソース構成を実行することを要求する、ステップと
を含む方法。
【請求項９】
前記サービスリンクテンプレート情報が受信されたことを示す情報を受信するステップ
をさらに含む、請求項8に記載の方法。
【請求項１０】
前記ルートおよびリソース構成が成功した場合、前記ルートおよびリソース構成が成功したことを示す情報を受信するステップ
をさらに含む、請求項8または9に記載の方法。
【請求項１１】
ネットワーク機能仮想化(NFV)システムにおけるサービス実装のための方法であって、
NFVオーケストレータ(NFVO)によって、サービスルートが通過するサービスリンクテンプレート情報を受信するステップであって、前記サービスリンクテンプレート情報は、サービスリンク識別子とサービスリンクに関する情報の対応を示すために使用され、前記サービスリンク識別子は、ユーザ識別情報に対応する、ステップと、
ルートおよびリソース構成要求メッセージを送るステップであって、前記ルートおよびリソース構成要求メッセージは、前記サービスリンクテンプレート情報に従って、前記サービスリンクテンプレートのサービスリンクに含まれるVNFに対するルートおよびリソース構成を実行することを要求するために、前記サービスリンクテンプレート情報を運ぶ、ステップと
を含む方法。
【請求項１２】
ルートおよびリソース構成要求メッセージを送る前記ステップは、
前記サービスリンクテンプレート情報に従って、前記サービスリンクテンプレートの前記サービスリンクに含まれる前記VNFに対する前記ルートおよびリソース構成を実行することを前記NFVOの外部にある第2の通信ユニットに要求するために、前記第2の通信ユニットに前記ルートおよびリソース構成要求メッセージを送るステップ
を含む、請求項11に記載の方法。
【請求項１３】
NFVOによって、サービスルートが通過するサービスリンクテンプレート情報を受信する前記ステップの後に、
前記サービスリンクテンプレート情報が受信されたことを示す情報を送るステップ
をさらに含む、請求項11または12に記載の方法。
【請求項１４】
前記ルートおよびリソース構成が成功した場合、前記ルートおよびリソース構成が成功したことを示す情報を受信するステップ
をさらに含む請求項11から13のいずれか一項に記載の方法。
【発明の詳細な説明】
【技術分野】
【０００１】
本発明は、通信領域に関し、特に、NFVシステムにおけるサービス実装のための方法および通信ユニットに関する。
【背景技術】
【０００２】
通信技術の開発によって、ネットワーク機能仮想化(Network Function Virtualization、NFV)技術はますます成熟しつつあり、NFVアーキテクチャについての関連する記述は、特定の実装方法の部分の序文の部分において提供されるため、ここでは詳細については記述しない。
【０００３】
NFVのマルチレイヤの複雑な構造では、仮想機能エンティティとして、仮想化されたネットワーク機能(Virtualization Network Function、VNF)は、NFVインフラストラクチャ(NFV Infrastructure、NFVI)ユニットの物理的なリソースによって提供される計算、記憶、およびネットワーク接続能力のサポートに依存している。VNF間の接続は論理リンク接続であり、複数のVNFは、論理リンクを使用することによって特定の順に接続され、サービスデータ処理のためにサービスリンクを構成することができる。しかし、どのようにNFVネットワークサービスリンクを確立するかは、現在、解決される必要のある問題である。
【発明の概要】
【課題を解決するための手段】
【０００４】
本発明の実施形態は、NFVネットワークサービスリンクの確立を実装することができる、NFVシステムにおけるサービス実装のための方法および通信ユニットを提供する。
【０００５】
前述の目的を達成するために、本発明の実施形態では以下の解決策が提供される。
【０００６】
第1の態様によれば、第1の通信ユニットが提供され、第1の通信ユニットは、
サービスリンクルール取得ユニット、サービスリンク情報取得ユニット、およびメッセージ送信ユニット
を含み、
サービスリンクルール取得ユニットは、サービスリンクルールを取得するように構成され、サービスリンクルールは、実行される必要のあるサービス処理を示すために使用され、
サービスリンク情報取得ユニットは、サービスリンクルール取得ユニットによって取得されたサービスリンクルールに従って、サービスルートが通過するサービスリンクに関する情報を取得するように構成され、サービスリンクに関する情報は、サービスルートが通過する仮想化されたネットワーク機能VNFに関する情報を示すために使用され、VNFはサービス処理のために構成され、
メッセージ送信ユニットは、ルートおよびリソース構成要求メッセージを送るように構成され、ルートおよびリソース構成要求メッセージは、サービスリンクに関する情報に従って、サービスリンクに含まれるVNFに対するルートおよびリソース構成を実行することを要求するために、サービスリンク情報取得ユニットによって取得されたサービスリンクに関する情報を運ぶ。
【０００７】
第1の態様に関して、第1の態様の第1の可能な実装方法では、第1の通信ユニットは、情報決定ユニットをさらに含み、
情報決定ユニットは、サービスリンク情報取得ユニットが、サービスリンクルール取得ユニットによって取得されたサービスリンクルールに従って、サービスルートが通過するサービスリンクに関する情報を取得する前に、サービスリンクルールがサービスリンクに関する情報を含むかどうかを決定するように構成され、
サービスリンク情報取得ユニットは、
情報決定モジュール、メッセージ送信モジュール、受信モジュール、および生成モジュール
を含み、
情報決定モジュールは、サービスリンクルールがサービスリンクに関する情報を含んでいないと情報決定ユニットが決定した場合、サービスリンクルールに従って、サービスルートが通過するVNFのタイプおよびVNFのタイプの各VNFタイプに含まれるVNFの識別情報を決定するように構成され、
メッセージ送信モジュールは、問い合わせ要求メッセージを送るように構成され、問い合わせ要求メッセージは、VNFの識別情報に従って、各VNFタイプに含まれるVNFの第1の情報を問い合わせることを要求するために、各VNFタイプに含まれるVNFの情報決定モジュールによって決定された識別情報を運び、第1の情報は、ネットワーク機能仮想化インフラストラクチャNFVIのネットワークトポロジ、ノード能力、および状態を示すために使用され、
受信モジュールは、各VNFタイプに含まれるVNFの第1の情報を受信するように構成され、
生成モジュールは、各VNFタイプに含まれるVNFの受信モジュールによって受信された、第1の情報に従ってサービスリンクに関する情報を生成するように構成される。
【０００８】
第1態様の第1の可能な実装方法に関して、第1の態様の第2の可能な実装方法では、サービスリンク情報取得ユニットは、取得モジュールをさらに含み、
取得モジュールは、サービスリンクルールがサービスリンクに関する情報を含んでいる場合、サービスリンクルールに含まれるサービスリンクに関する情報を取得するように構成される。
【０００９】
第1の態様の第1の可能な実装方法または第1の態様の第2の可能な実装方法に関して、第1の態様の第3の可能な実装方法では、メッセージ送信モジュールは、
VNFの識別情報に従って、各VNFタイプに含まれるVNFの第1の情報を問い合わせることを第2の通信ユニットに要求するために、第2の通信ユニットに問い合わせ要求メッセージを送る
ように構成される。
【００１０】
第1の態様の第3の可能な実装方法に関して、第1の態様の第4の可能な実装方法では、メッセージ送信モジュールは、
VNFマネージャVNFMを使用することによって第2の通信ユニットに問い合わせ要求メッセージを送るために、VNFMに問い合わせ要求メッセージを送る
ように構成される。
【００１１】
第1の態様の第4の可能な実装方法に関して、第1の態様の第5の可能な実装方法では、メッセージ送信モジュールは、
VNFMを使用することによってネットワーク機能仮想化NFVオーケストレータNFVOに問い合わせ要求メッセージを送るため、およびNFVOを使用することによって第2の通信ユニットに問い合わせ要求メッセージを送るために、VNFMに問い合わせ要求メッセージを送る
ように構成される。
【００１２】
第1の態様の第3の可能な実装方法に関して、第1の態様の第6の可能な実装方法では、メッセージ送信モジュールは、
運用支援システム/ビジネス支援システムOSS/BSSを使用することによってNFVOに問い合わせ要求メッセージを送るため、およびNFVOを使用することによって第2の通信ユニットに問い合わせ要求メッセージを送るために、OSS/BSSに問い合わせ要求メッセージを送る
ように構成される。
【００１３】
第1の態様の第6の可能な実装方法に関して、第1の態様の第7の可能な実装方法では、メッセージ送信モジュールは、
OSS/BSSを使用することによってNFVOに問い合わせ要求メッセージを送るため、NFVOを使用することによってVNFMに問い合わせ要求メッセージを送るため、およびVNFMを使用することによって第2の通信ユニットに問い合わせ要求メッセージを送るために、OSS/BSSに問い合わせ要求メッセージを送る
ように構成される。
【００１４】
第1の態様の第7の可能な実装方法への第1の態様に関して、第1の態様の第8の可能な実装方法では、メッセージ送信ユニットは、
ルートおよびリソース構成を実行するように第2の通信ユニットに要求するために、第2の通信ユニットにルートおよびリソース構成要求メッセージを送る
ように構成される。
【００１５】
第1の態様の第8の可能な実装方法に関して、第1の態様の第9の可能な実装方法では、メッセージ送信ユニットは、
VNFMを使用することによって第2の通信ユニットにルートおよびリソース構成要求メッセージを送るために、VNFMにルートおよびリソース構成要求メッセージを送る
ように構成される。
【００１６】
第1の態様の第9の可能な実装方法に関して、第1の態様の第10の可能な実装方法では、メッセージ送信ユニットは、
VNFMを使用することによってNFVOにルートおよびリソース構成要求メッセージを送るため、およびNFVOを使用することによって第2の通信ユニットにルートおよびリソース構成要求メッセージを送るために、VNFMにルートおよびリソース構成要求メッセージを送る
ように構成される。
【００１７】
第1の態様の第8の可能な実装方法に関して、第1の態様の第11の可能な実装方法では、メッセージ送信ユニットは、
OSS/BSSを使用することによってNFVOにルートおよびリソース構成要求メッセージを送るため、およびNFVOを使用することによって第2の通信ユニットにルートおよびリソース構成要求メッセージを送るために、OSS/BSSにルートおよびリソース構成要求メッセージを送る
ように構成される。
【００１８】
第1の態様の第11の可能な実装方法に関して、第1の態様の第12の可能な実装方法では、メッセージ送信ユニットは、
OSS/BSSを使用することによってNFVOにルートおよびリソース構成要求メッセージを送るため、NFVOを使用することによってVNFMにルートおよびリソース構成要求メッセージを送るため、およびVNFMを使用することによって第2の通信ユニットにルートおよびリソース構成要求メッセージを送るために、OSS/BSSにルートおよびリソース構成要求メッセージを送る
ように構成される。
【００１９】
第1の態様から第1の態様の第12の可能な実装方法に関して、第1の態様の第13の可能な実装方法では、第1の通信ユニットは、受信ユニットをさらに含み、
受信ユニットは、ルートおよびリソース構成が成功した場合、ルートおよびリソース構成が成功したことを示す情報を受信するように構成される。
【００２０】
第2の態様によれば、第2の通信ユニットが提供され、第2の通信ユニットは、
受信ユニットおよび構成ユニット
を含み、
受信ユニットは、ルートおよびリソース構成要求メッセージを受信するように構成され、ルートおよびリソース構成要求メッセージは、サービスリンクに関する情報に従って、サービスリンクに含まれる仮想化されたネットワーク機能VNFに対するルートおよびリソース構成を実行することを要求するために、サービスルートが通過するサービスリンクに関する情報を運び、サービスリンクに関する情報は、サービスリンクルールに従って取得され、サービスリンクルールは、実行される必要のあるサービス処理を示すために使用され、サービスリンクに関する情報は、サービスルートが通過するVNFに関する情報を示すために使用され、VNFはサービス処理のために構成され、
構成ユニットは、受信ユニットによって受信されたサービスリンクに関する情報、およびネットワーク機能仮想化インフラストラクチャNFVIの物理的なリソースに関する情報に従って、サービスリンクに含まれるVNFに対するサービスルートおよびリソース構成を実行するように構成される。
【００２１】
第1の態様に関して、第2の態様の第1の可能な実装方法では、第2の通信ユニットは、
問い合わせユニットおよび送信ユニット
をさらに含み、
受信ユニットは、ルートおよびリソース構成要求メッセージを受信する前に、問い合わせ要求メッセージを受信するようにさらに構成され、問い合わせ要求メッセージは、VNFの識別情報に従って、各VNFタイプに含まれるVNFの第1の情報を問い合わせることを要求するために、サービスルートが通過するVNFのタイプの各VNFタイプに含まれるVNFの識別情報を運び、第1の情報は、NFVIのネットワークトポロジ、ノード能力、および状態を示すために使用され、
問い合わせユニットは、受信ユニットによって受信された問い合わせ要求メッセージに従って、NFVIの物理的なリソースを問い合わせ、各VNFタイプに含まれるVNFの第1の情報を取得するように構成され、
送信ユニットは、各VNFタイプに含まれるVNFの第1の情報に従ってサービスリンクに関する情報を生成するために、各VNFタイプに含まれるVNFの問い合わせを通じて問い合わせユニットによって取得された第1の情報を送るように構成される。
【００２２】
第2の態様または第2の態様の第1の可能な実装方法に関して、第2の態様の第2の可能な実装方法では、受信ユニットは、
VNFマネージャVNFMによって送られたルートおよびリソース構成要求メッセージを受信する
ように構成される。
【００２３】
第2の態様または第2の態様の第1の可能な実装方法に関して、第2の態様の第3の可能な実装方法では、受信ユニットは、
VNF運用支援システム/ビジネス支援システムOSS/BSSによって送られたルートおよびリソース構成要求メッセージを受信する
ように構成される。
【００２４】
第2の態様から第2の態様の第3の可能な実装方法に関して、第2の態様の第4の可能な実装方法では、送信ユニットは、
ルートおよびリソース構成が成功した場合、ルートおよびリソース構成が成功したことを示す情報を送る
ようにさらに構成される。
【００２５】
第3の態様によれば、運用支援システム/ビジネス支援システムOSS/BSSが提供され、OSS/BSSは、
取得ユニットおよび送信ユニット
を含み、
取得ユニットは、サービスルートが通過するサービスリンクテンプレート情報を取得するように構成され、サービスリンクテンプレート情報は、サービスリンク識別子とサービスリンクに関する情報の対応を示すために使用され、
送信ユニットは、NFVオーケストレータNFVOに、取得ユニットによって取得されたサービスリンクテンプレート情報を送るように構成されるため、NFVOは、サービスリンクテンプレート情報に従って、サービスリンクテンプレートのサービスリンクに含まれる仮想化されたネットワーク機能VNFに対するルートおよびリソース構成を実行することを要求する。
【００２６】
第3の態様に関して、第3の態様の第1の可能な実装方法では、OSS/BSSは、受信ユニットをさらに含み、
受信ユニットは、サービスリンクテンプレート情報が受信されたことを示す情報を受信するように構成される。
【００２７】
第3の態様または第3の態様の第1の可能な実装方法に関して、第3の態様の第2の可能な実装方法では、受信ユニットは、
ルートおよびリソース構成が成功した場合、ルートおよびリソース構成が成功したことを示す情報を受信する
ようにさらに構成される。
【００２８】
第4の態様によれば、ネットワーク機能仮想化NFVオーケストレータNFVOが提供され、NFVOは、
受信ユニットおよび送信ユニット
を含み、
受信ユニットは、サービスルートが通過するサービスリンクテンプレート情報を受信するように構成され、サービスリンクテンプレート情報は、サービスリンク識別子とサービスリンクに関する情報の対応を示すために使用され、
送信ユニットは、ルートおよびリソース構成要求メッセージを送るように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、受信ユニットによって受信されたサービスリンクテンプレート情報を運ぶ。
【００２９】
第4の態様に関して、第4の態様の第1の可能な実装方法では、送信モジュールは、
サービスリンクテンプレート情報に従って、サービスリンクテンプレートのサービスリンクに含まれるVNFに対するルートおよびリソース構成を実行することを第2の通信ユニットに要求するために、第2の通信ユニットにルートおよびリソース構成要求メッセージを送る
ように構成される。
【００３０】
第4の態様または第4の態様の第1の可能な実装方法に関して、第4の態様の第2の可能な実装方法では、送信ユニットは、
受信ユニットが、サービスルートが通過するサービスリンクテンプレート情報を受信した後、サービスリンクテンプレート情報が受信されたことを示す情報を送る
ようにさらに構成される。
【００３１】
第4の態様から第4の態様の第2の可能な実装方法に関して、第4の態様の第3の可能な実装方法では、受信ユニットは、
ルートおよびリソース構成が成功した場合、ルートおよびリソース構成が成功したことを示す情報を受信する
ようにさらに構成される。
【００３２】
第5の態様によれば、第2の通信ユニットが提供され、第2の通信ユニットは、
受信ユニットおよび構成ユニット
を含み、
受信ユニットは、ルートおよびリソース構成要求メッセージを受信するように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、サービスリンクテンプレート情報は、サービスリンク識別子とサービスリンクに関する情報の対応を示すために使用され、
構成ユニットは、受信ユニットによって受信されたサービスリンクテンプレート情報、およびネットワーク機能仮想化インフラストラクチャNFVIの物理的なリソースに関する情報に従って、サービスリンクテンプレートのサービスリンクに含まれるVNFに対するルートおよびリソース構成を実行するように構成される。
【００３３】
第5の態様に関して、第5の態様の第1の可能な実装方法では、受信ユニットは、
NFVオーケストレータNFVOによって送られたルートおよびリソース構成要求メッセージを受信する
ように構成される。
【００３４】
第5の態様の第1の可能な実装方法に関して、第5の態様の第2の可能な実装方法では、第2の通信ユニットは、送信ユニットをさらに含み、
送信ユニットは、ルートおよびリソース構成が成功した場合、ルートおよびリソース構成が成功したことを示す情報を送るように構成される。
【００３５】
第6の態様によれば、ネットワーク機能仮想化NFVシステムにおけるサービス実装のための方法が提供され、方法は、
第1の通信ユニットによって、サービスリンクルールを取得するステップであって、サービスリンクルールは、実行される必要のあるサービス処理を示すために使用される、ステップと、
サービスリンクルールに従って、サービスルートが通過するサービスリンクに関する情報を取得するステップであって、サービスリンクに関する情報は、サービスルートが通過する仮想化されたネットワーク機能VNFに関する情報を示すために使用され、VNFはサービス処理のために構成される、ステップと、
ルートおよびリソース構成要求メッセージを送るステップであって、ルートおよびリソース構成要求メッセージは、サービスリンクに関する情報に従って、サービスリンクに含まれるVNFに対するルートおよびリソース構成を実行することを要求するために、サービスリンクに関する情報を運ぶ、ステップと
を含む。
【００３６】
第6の態様に関して、第6の態様の第1の可能な実装方法では、サービスリンクルールに従って、サービスルートが通過するサービスリンクに関する情報を取得するステップの前に、方法は、
サービスリンクルールがサービスリンクに関する情報を含むかどうかを決定するステップ
をさらに含み、
サービスリンクルールに従って、サービスルートが通過するサービスリンクに関する情報を取得するステップは、
サービスリンクルールがサービスリンクに関する情報を含んでいない場合、サービスリンクルールに従って、サービスルートが通過するVNFのタイプおよびVNFのタイプの各VNFタイプに含まれるVNFの識別情報を決定するステップと、
問い合わせ要求メッセージを送るステップであって、問い合わせ要求メッセージは、VNFの識別情報に従って、各VNFタイプに含まれるVNFの第1の情報を問い合わせることを要求するために、各VNFタイプに含まれるVNFの識別情報を運び、第1の情報は、ネットワーク機能仮想化インフラストラクチャNFVIのネットワークトポロジ、ノード能力、および状態を示すために使用される、ステップと、
各VNFタイプに含まれるVNFの第1の情報を受信するステップと、
各VNFタイプに含まれるVNFの第1の情報に従ってサービスリンクに関する情報を生成するステップと
を含む。
【００３７】
第6の態様の第1の可能な実装方法に関して、第6の態様の第2の可能な実装方法では、サービスリンクルールに従って、サービスルートが通過するサービスリンクに関する情報を取得するステップは、
サービスリンクルールがサービスリンクに関する情報を含んでいる場合、サービスリンクルールに含まれるサービスリンクに関する情報を取得するステップ
をさらに含む。
【００３８】
第6の態様の第1の可能な実装方法または第6の態様の第2の可能な実装方法に関して、第6の態様の第3の可能な実装方法では、問い合わせ要求メッセージを送るステップは、
VNFの識別情報に従って、各VNFタイプに含まれるVNFの第1の情報を問い合わせることを第2の通信ユニットに要求するために、第2の通信ユニットに問い合わせ要求メッセージを送るステップ
を含む。
【００３９】
第6の態様の第3の可能な実装方法に関して、第6の態様の第4の可能な実装方法では、第2の通信ユニットに問い合わせ要求メッセージを送るステップは、
VNFマネージャVNFMを使用することによって第2の通信ユニットに問い合わせ要求メッセージを送るために、VNFMに問い合わせ要求メッセージを送るステップ
を含む。
【００４０】
第6の態様の第4の可能な実装方法に関して、第6の態様の第5の可能な実装方法では、VNFMを使用することによって第2の通信ユニットに問い合わせ要求メッセージを送るために、VNFMに問い合わせ要求メッセージを送るステップは、
VNFMを使用することによってNFVオーケストレータNFVOに問い合わせ要求メッセージを送るため、およびNFVOを使用することによって第2の通信ユニットに問い合わせ要求メッセージを送るために、VNFMに問い合わせ要求メッセージを送るステップ
を含む。
【００４１】
第6の態様の第3の可能な実装方法に関して、第6の態様の第6の可能な実装方法では、第2の通信ユニットに問い合わせ要求メッセージを送るステップは、
運用支援システム/ビジネス支援システムOSS/BSSを使用することによってNFVOに問い合わせ要求メッセージを送るため、およびNFVOを使用することによって第2の通信ユニットに問い合わせ要求メッセージを送るために、OSS/BSSに問い合わせ要求メッセージを送るステップ
を含む。
【００４２】
第6の態様の第6の可能な実装方法に関して、第6の態様の第7の可能な実装方法では、OSS/BSSを使用することによってNFVOに問い合わせ要求メッセージを送るため、およびNFVOを使用することによって第2の通信ユニットに問い合わせ要求メッセージを送るために、OSS/BSSに問い合わせ要求メッセージを送るステップは、
OSS/BSSを使用することによってNFVOに問い合わせ要求メッセージを送るため、NFVOを使用することによってVNFMに問い合わせ要求メッセージを送るため、およびVNFMを使用することによって第2の通信ユニットに問い合わせ要求メッセージを送るために、OSS/BSSに問い合わせ要求メッセージを送るステップ
を含む。
【００４３】
第6の態様から第6の態様の第7の可能な実装方法に関して、第6の態様の第8の可能な実装方法では、ルートおよびリソース構成要求メッセージを送るステップは、
ルートおよびリソース構成を実行することを第2の通信ユニットに要求するために、第2の通信ユニットにルートおよびリソース構成要求メッセージを送るステップ
を含む。
【００４４】
第6の態様の第8の可能な実装方法に関して、第6の態様の第9の可能な実装方法では、ルートおよびリソース構成要求メッセージを第2の通信ユニットに送るステップは、
VNFMを使用することによって第2の通信ユニットにルートおよびリソース構成要求メッセージを送るために、VNFMにルートおよびリソース構成要求メッセージを送るステップ
を含む。
【００４５】
第6の態様の第9の可能な実装方法に関して、第6の態様の第10の可能な実装方法では、VNFMを使用することによって第2の通信ユニットにルートおよびリソース構成要求メッセージを送るために、ルートおよびリソース構成要求メッセージをVNFMに送るステップは、
VNFMを使用することによってNFVOにルートおよびリソース構成要求メッセージを送るため、およびNFVOを使用することによって第2の通信ユニットにルートおよびリソース構成要求メッセージを送るために、VNFMにルートおよびリソース構成要求メッセージを送るステップ
を含む。
【００４６】
第6の態様の第8の可能な実装方法に関して、第6の態様の第11の可能な実装方法では、ルートおよびリソース構成要求メッセージを第2の通信ユニットに送るステップは、
OSS/BSSを使用することによってNFVOにルートおよびリソース構成要求メッセージを送るため、およびNFVOを使用することによって第2の通信ユニットにルートおよびリソース構成要求メッセージを送るために、OSS/BSSにルートおよびリソース構成要求メッセージを送るステップ
を含む。
【００４７】
第6の態様の第11の可能な実装方法に関して、第6の態様の第12の可能な実装方法では、OSS/BSSを使用することによってNFVOにルートおよびリソース構成要求メッセージを送るため、およびNFVOを使用することによって第2の通信ユニットにルートおよびリソース構成要求メッセージを送るために、ルートおよびリソース構成要求メッセージをOSS/BSSに送るステップは、
OSS/BSSを使用することによってNFVOにルートおよびリソース構成要求メッセージを送るため、NFVOを使用することによってVNFMにルートおよびリソース構成要求メッセージを送るため、およびVNFMを使用することによって第2の通信ユニットにルートおよびリソース構成要求メッセージを送るために、OSS/BSSにルートおよびリソース構成要求メッセージを送るステップ
を含む。
【００４８】
第6の態様から第6の態様の第12の可能な実装方法に関して、第6の態様の第13の可能な実装方法では、方法は、
ルートおよびリソース構成が成功した場合、ルートおよびリソース構成が成功したことを示す情報を受信するステップ
をさらに含む。
【００４９】
第7の態様によれば、ネットワーク機能仮想化NFVシステムにおけるサービス実装のための方法が提供され、方法は、
第2の通信ユニットによって、ルートおよびリソース構成要求メッセージを受信するステップであって、ルートおよびリソース構成要求メッセージは、サービスリンクに関する情報に従って、サービスリンクに含まれる仮想化されたネットワーク機能VNFに対するルートおよびリソース構成を実行することを要求するために、サービスルートが通過するサービスリンクに関する情報を運び、サービスリンクに関する情報は、サービスリンクルールに従って取得され、サービスリンクルールは、実行される必要のあるサービス処理を示すために使用され、サービスリンクに関する情報は、サービスルートが通過するVNFに関する情報を示すために使用され、VNFはサービス処理のために構成される、ステップと、
サービスリンクに関する情報、およびネットワーク機能仮想化インフラストラクチャNFVIの物理的なリソースに関する情報に従って、サービスリンクに含まれるVNFに対するサービスルートおよびリソース構成を実行するステップと
を含む。
【００５０】
第7の態様に関して、第7の態様の第1の可能な実装方法では、ルートおよびリソース構成要求メッセージを受信するステップの前に、方法は、
問い合わせ要求メッセージを受信するステップであって、問い合わせ要求メッセージは、VNFの識別情報に従って、各VNFタイプに含まれるVNFの第1の情報を問い合わせることを要求するために、サービスルートが通過するVNFのタイプの各VNFタイプに含まれるVNFの識別情報を運び、第1の情報は、NFVIのネットワークトポロジ、ノード能力、および状態を示すために使用される、ステップと、
問い合わせ要求メッセージに従って、NFVIの物理的なリソースを問い合わせ、各VNFタイプに含まれるVNFの第1の情報を取得するステップと、
各VNFタイプに含まれるVNFの第1の情報に従って、サービスリンクに関する情報を生成するために、各VNFタイプに含まれるVNFの第1の情報を送るステップと
をさらに含む。
【００５１】
第7の態様または第7の態様の第1の可能な実装方法に関して、第7の態様の第2の可能な実装方法では、ルートおよびリソース構成要求メッセージを受信するステップは、
VNFマネージャVNFMによって送られたルートおよびリソース構成要求メッセージを受信するステップ
を含む。
【００５２】
第7の態様または第7の態様の第1の可能な実装方法に関して、第7の態様の第3の可能な実装方法では、ルートおよびリソース構成要求メッセージを受信するステップは、
VNF運用支援システム/ビジネス支援システムOSS/BSSによって送られたルートおよびリソース構成要求メッセージを受信するステップ
を含む。
【００５３】
第7の態様から第7の態様の第3の可能な実装方法に関して、第7の態様の第4の可能な実装方法では、方法は、
ルートおよびリソース構成が成功した場合、ルートおよびリソース構成が成功したことを示す情報を送るステップ
をさらに含む。
【００５４】
第8の態様によれば、ネットワーク機能仮想化NFVシステムにおけるサービス実装のための方法が提供され、方法は、
運用支援システム/ビジネス支援システムOSS/BSSによって、サービスルートが通過するサービスリンクテンプレート情報を取得するステップであって、サービスリンクテンプレート情報は、サービスリンク識別子とサービスリンクに関する情報の対応を示すために使用される、ステップと、
NFVオーケストレータNFVOにサービスリンクテンプレート情報を送るステップであって、それにより、NFVOは、サービスリンクテンプレート情報に従って、サービスリンクテンプレートのサービスリンクに含まれる仮想化されたネットワーク機能VNFに対するルートおよびリソース構成を実行することを要求する、ステップと
を含む。
【００５５】
第8の態様に関して、第8の態様の第1の可能な実装方法では、方法は、
サービスリンクテンプレート情報が受信されたことを示す情報を受信するステップ
をさらに含む。
【００５６】
第8の態様または第8の態様の第1の可能な実装方法に関して、第8の態様の第2の可能な実装方法では、方法は、
ルートおよびリソース構成が成功した場合、ルートおよびリソース構成が成功したことを示す情報を受信するステップ
をさらに含む。
【００５７】
第9の態様によれば、ネットワーク機能仮想化NFVシステムにおけるサービス実装のための方法が提供され、方法は、
NFVオーケストレータNFVOによって、サービスルートが通過するサービスリンクテンプレート情報を受信するステップであって、サービスリンクテンプレート情報は、サービスリンク識別子とサービスリンクに関する情報の対応を示すために使用される、ステップと、
ルートおよびリソース構成要求メッセージを送るステップであって、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運ぶ、ステップと
を含む。
【００５８】
第9の態様に関して、第9の態様の第1の可能な実装方法では、ルートおよびリソース構成要求メッセージを送るステップは、
サービスリンクテンプレート情報に従って、サービスリンクテンプレートのサービスリンクに含まれるVNFに対するルートおよびリソース構成を実行することを第2の通信ユニットに要求するために、第2の通信ユニットにルートおよびリソース構成要求メッセージを送るステップ
を含む。
【００５９】
第9の態様または第9の態様の第1の可能な実装方法に関して、第9の態様の第2の可能な実装方法では、NFVOによって、サービスルートが通過するサービスリンクテンプレート情報を受信するステップの後に、方法は、
サービスリンクテンプレート情報が受信されたことを示す情報を送るステップ
をさらに含む。
【００６０】
第9の態様から第9の態様の第2の可能な実装方法に関して、第9の態様の第3の可能な実装方法では、方法は、
ルートおよびリソース構成が成功した場合、ルートおよびリソース構成が成功したことを示す情報を受信するステップ
をさらに含む。
【００６１】
第10の態様によれば、ネットワーク機能仮想化NFVシステムにおけるサービス実装のための方法が提供され、方法は、
第2の通信ユニットによって、ルートおよびリソース構成要求メッセージを受信するステップであって、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、サービスリンクテンプレート情報は、サービスリンク識別子とサービスリンクに関する情報の対応を示すために使用される、ステップと、
サービスリンクに関する情報、およびネットワーク機能仮想化インフラストラクチャNFVIの物理的なリソースに関する情報に従って、サービスリンクテンプレートのサービスリンクに含まれるVNFに対するルートおよびリソース構成を実行するステップと
を含む。
【００６２】
第10の態様に関して、第10の態様の第1の可能な実装方法では、ルートおよびリソース構成要求メッセージを受信するステップは、
NFVオーケストレータNFVOによって送られたルートおよびリソース構成要求メッセージを受信するステップ
を含む。
【００６３】
第10の態様または第10の態様の第1の可能な実装方法に関して、第10の態様の第2の可能な実装方法では、方法は、
ルートおよびリソース構成が成功した場合、ルートおよびリソース構成が成功したことを示す情報を送るステップ
をさらに含む。
【００６４】
第11の態様によれば、第1の通信ユニットが提供され、第1の通信ユニットは、
プロセッサおよび送信機
を含み、
プロセッサは、サービスリンクルールを取得するように構成され、サービスリンクルールは、実行される必要のあるサービス処理を示すために使用され、
プロセッサは、サービスリンクルールに従って、サービスルートが通過するサービスリンクに関する情報を取得するようにさらに構成され、サービスリンクに関する情報は、サービスルートが通過する仮想化されたネットワーク機能VNFに関する情報を示すために使用され、VNFはサービス処理のために構成され、
送信機は、ルートおよびリソース構成要求メッセージを送るように構成され、ルートおよびリソース構成要求メッセージは、サービスリンクに関する情報に従って、サービスリンクに含まれるVNFに対するルートおよびリソース構成を実行することを要求するために、プロセッサによって取得されたサービスリンクに関する情報を運ぶ。
【００６５】
第11の態様に関して、第11の態様の第1の可能な実装方法では、プロセッサは、サービスリンクルールに従って、サービスルートが通過するサービスリンクに関する情報を取得する前に、サービスリンクルールがサービスリンクに関する情報を含むかどうかを決定するようにさらに構成され、
サービスリンクルールに従って、サービスルートが通過するサービスリンクに関する情報を取得するようにさらに構成されているプロセッサは、
サービスリンクルールがサービスリンクに関する情報を含んでいない場合、サービスリンクルールに従って、サービスルートが通過するVNFのタイプおよびVNFのタイプの各VNFタイプに含まれるVNFの識別情報を決定するステップと、
問い合わせ要求メッセージを送るステップであって、問い合わせ要求メッセージは、VNFの識別情報に従って、各VNFタイプに含まれるVNFの第1の情報を問い合わせることを要求するために、各VNFタイプに含まれるVNFの識別情報を運び、第1の情報は、ネットワーク機能仮想化インフラストラクチャNFVIのネットワークトポロジ、ノード能力、および状態を示すために使用される、ステップと、
各VNFタイプに含まれるVNFの第1の情報を受信するステップと、
各VNFタイプに含まれるVNFの第1の情報に従ってサービスリンクに関する情報を生成するステップと
を含む。
【００６６】
第11の態様の第1の可能な実装方法に関して、第11の態様の第2の可能な実装方法では、サービスリンクルールに従ってプロセッサによって、サービスルートが通過するサービスリンクに関する情報を取得するステップは、
サービスリンクルールがサービスリンクに関する情報を含んでいる場合、サービスリンクルールに含まれるサービスリンクに関する情報を取得するステップ
をさらに含む。
【００６７】
第11の態様の第1の可能な実装方法または第11の態様の第2の可能な実装方法に関して、第11の態様の第3の可能な実装方法では、プロセッサによって、問い合わせ要求メッセージを送るステップは、
VNFの識別情報に従って、各VNFタイプに含まれるVNFの第1の情報を問い合わせることを第2の通信ユニットに要求するために、第2の通信ユニットに問い合わせ要求メッセージを送るステップ
を含む。
【００６８】
第11の態様の第3の可能な実装方法に関して、第11の態様の第4の可能な実装方法では、プロセッサによって、問い合わせ要求メッセージを送るステップは、
VNFマネージャVNFMを使用することによって第2の通信ユニットに問い合わせ要求メッセージを送るために、VNFMに問い合わせ要求メッセージを送るステップ
を含む。
【００６９】
第11の態様の第4の可能な実装方法に関して、第11の態様の第5の可能な実装方法では、プロセッサによって、問い合わせ要求メッセージを送るステップは、
VNFMを使用することによってネットワーク機能仮想化NFVオーケストレータNFVOに問い合わせ要求メッセージを送るため、およびNFVOを使用することによって第2の通信ユニットに問い合わせ要求メッセージを送るために、VNFMに問い合わせ要求メッセージを送るステップ
を含む。
【００７０】
第11の態様の第3の可能な実装方法に関して、第11の態様の第6の可能な実装方法では、プロセッサによって、問い合わせ要求メッセージを送るステップは、
OSS/BSSを使用することによってNFVOに問い合わせ要求メッセージを送るため、およびNFVOを使用することによって第2の通信ユニットに問い合わせ要求メッセージを送るために、運用支援システム/ビジネス支援システムOSS/BSSに問い合わせ要求メッセージを送るステップ
を含む。
【００７１】
第11の態様の第6の可能な実装方法に関して、第11の態様の第7の可能な実装方法では、プロセッサによって、問い合わせ要求メッセージを送るステップは、
OSS/BSSを使用することによってNFVOに問い合わせ要求メッセージを送るため、NFVOを使用することによってVNFMに問い合わせ要求メッセージを送るため、およびVNFMを使用することによって第2の通信ユニットに問い合わせ要求メッセージを送るために、OSS/BSSに問い合わせ要求メッセージを送るステップ
を含む。
【００７２】
第11の態様から第11の態様の第7の可能な実装方法に関して、第11の態様の第8の可能な実装方法では、送信機は、
ルートおよびリソース構成を実行するように第2の通信ユニットに要求するために、第2の通信ユニットにルートおよびリソース構成要求メッセージを送る
ように構成される。
【００７３】
第11の態様の第8の可能な実装方法に関して、第11の態様の第9の可能な実装方法では、送信機は、
VNFMを使用することによって第2の通信ユニットにルートおよびリソース構成要求メッセージを送るために、VNFMにルートおよびリソース構成要求メッセージを送る
ように構成される。
【００７４】
第11の態様の第9の可能な実装方法に関して、第11の態様の第10の可能な実装方法では、送信機は、
VNFMを使用することによってNFVOにルートおよびリソース構成要求メッセージを送るため、およびNFVOを使用することによって第2の通信ユニットにルートおよびリソース構成要求メッセージを送るために、VNFMにルートおよびリソース構成要求メッセージを送る
ように構成される。
【００７５】
第11の態様の第8の可能な実装方法に関して、第11の態様の第11の可能な実装方法では、送信機は、
OSS/BSSを使用することによってNFVOにルートおよびリソース構成要求メッセージを送るため、およびNFVOを使用することによって第2の通信ユニットにルートおよびリソース構成要求メッセージを送るために、OSS/BSSにルートおよびリソース構成要求メッセージを送る
ように構成される。
【００７６】
第11の態様の第11の可能な実装方法に関して、第11の態様の第12の可能な実装方法では、送信機は、
OSS/BSSを使用することによってNFVOにルートおよびリソース構成要求メッセージを送るため、NFVOを使用することによってVNFMにルートおよびリソース構成要求メッセージを送るため、およびVNFMを使用することによって第2の通信ユニットにルートおよびリソース構成要求メッセージを送るために、OSS/BSSにルートおよびリソース構成要求メッセージを送る
ように構成される。
【００７７】
第11の態様から第11の態様の第12の可能な実装方法に関して、第11の態様の第13の可能な実装方法では、第1の通信ユニットは、受信機をさらに含み、
受信機は、ルートおよびリソース構成が成功した場合、ルートおよびリソース構成が成功したことを示す情報を受信するように構成される。
【００７８】
第12の態様によれば、第2の通信ユニットが提供され、第2の通信ユニットは、
受信機およびプロセッサ
を含み、
受信機は、ルートおよびリソース構成要求メッセージを受信するように構成され、ルートおよびリソース構成要求メッセージは、サービスリンクに関する情報に従って、サービスリンクに含まれる仮想化されたネットワーク機能VNFに対するルートおよびリソース構成を実行することを要求するために、サービスルートが通過するサービスリンクに関する情報を運び、サービスリンクに関する情報は、サービスリンクルールに従って取得され、サービスリンクルールは、実行される必要のあるサービス処理を示すために使用され、サービスリンクに関する情報は、サービスルートが通過するVNFに関する情報を示すために使用され、VNFはサービス処理のために構成され、
プロセッサは、受信機によって受信されたサービスリンクに関する情報、およびネットワーク機能仮想化インフラストラクチャNFVIの物理的なリソースに関する情報に従って、サービスリンクに含まれるVNFに対するサービスルートおよびリソース構成を実行するように構成される。
【００７９】
第11の態様に関して、第12の態様の第1の可能な実装方法では、第2の通信ユニットは、
送信機
をさらに含み、
受信機は、ルートおよびリソース構成要求メッセージを受信する前に、問い合わせ要求メッセージを受信するようにさらに構成され、問い合わせ要求メッセージは、VNFの識別情報に従って、各VNFタイプに含まれるVNFの第1の情報を問い合わせることを要求するために、サービスルートが通過するVNFのタイプの各VNFタイプに含まれるVNFの識別情報を運び、第1の情報は、NFVIのネットワークトポロジ、ノード能力、および状態を示すために使用され、
プロセッサは、受信機によって受信された問い合わせ要求メッセージに従って、NFVIの物理的なリソースを問い合わせ、各VNFタイプに含まれるVNFの第1の情報を取得するようにさらに構成され、
送信機は、各VNFタイプに含まれるVNFの第1の情報に従って、サービスリンクに関する情報を生成するために、各VNFタイプに含まれるVNFの問い合わせを通じてプロセッサによって取得された、第1の情報を送るように構成される。
【００８０】
第12の態様または第12の態様の第1の可能な実装方法に関して、第12の態様の第2の可能な実装方法では、受信機は、
VNFマネージャVNFMによって送られたルートおよびリソース構成要求メッセージを受信する
ように構成される。
【００８１】
第12の態様または第12の態様の第1の可能な実装方法に関して、第12の態様の第3の可能な実装方法では、受信機は、
VNF運用支援システム/ビジネス支援システムOSS/BSSによって送られたルートおよびリソース構成要求メッセージを受信する
ように構成される。
【００８２】
第12の態様から第12の態様の第3の可能な実装方法に関して、第12の態様の第4の可能な実装方法では、送信機は、
ルートおよびリソース構成が成功した場合、ルートおよびリソース構成が成功したことを示す情報を送る
ようにさらに構成される。
【００８３】
第13の態様によれば、運用支援システム/ビジネス支援システムOSS/BSSが提供され、OSS/BSSは、
プロセッサおよび送信機
を含み、
プロセッサは、サービスルートが通過するサービスリンクテンプレート情報を取得するように構成され、サービスリンクテンプレート情報は、サービスリンク識別子とサービスリンクに関する情報の対応を示すために使用され、
送信機は、NFVオーケストレータNFVOに、プロセッサによって取得されたサービスリンクテンプレート情報を送るように構成されるため、NFVOは、サービスリンクテンプレート情報に従って、サービスリンクテンプレートのサービスリンクに含まれる仮想化されたネットワーク機能VNFに対するルートおよびリソース構成を実行することを要求する。
【００８４】
第13の態様に関して、第13の態様の第1の可能な実装方法では、OSS/BSSは、受信機をさらに含み、
受信機は、サービスリンクテンプレート情報が受信されたことを示す情報を受信するように構成される。
【００８５】
第13の態様または第13の態様の第1の可能な実装方法に関して、第13の態様の第2の可能な実装方法では、受信機は、
ルートおよびリソース構成が成功した場合、ルートおよびリソース構成が成功したことを示す情報を受信する
ようにさらに構成される。
【００８６】
第14の態様によれば、ネットワーク機能仮想化NFVオーケストレータNFVOが提供され、NFVOは、
受信機および送信機
を含み、
受信機は、サービスルートが通過するサービスリンクテンプレート情報を受信するように構成され、サービスリンクテンプレート情報は、サービスリンク識別子とサービスリンクに関する情報の対応を示すために使用され、
送信機は、ルートおよびリソース構成要求メッセージを送るように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、受信機によって受信されたサービスリンクテンプレート情報を運ぶ。
【００８７】
第14の態様に関して、第14の態様の第1の可能な実装方法では、送信機は、
サービスリンクテンプレート情報に従って、サービスリンクテンプレートのサービスリンクに含まれるVNFに対するルートおよびリソース構成を実行することを第2の通信ユニットに要求するために、第2の通信ユニットにルートおよびリソース構成要求メッセージを送る
ように構成される。
【００８８】
第14の態様または第14の態様の第1の可能な実装方法に関して、第14の態様の第2の可能な実装方法では、送信機は、
受信機が、サービスルートが通過するサービスリンクテンプレート情報を受信した後、サービスリンクテンプレート情報が受信されたことを示す情報を送る
ようにさらに構成される。
【００８９】
第14の態様から第14の態様の第2の可能な実装方法に関して、第14の態様の第3の可能な実装方法では、受信機は、
ルートおよびリソース構成が成功した場合、ルートおよびリソース構成が成功したことを示す情報を受信する
ようにさらに構成される。
【００９０】
第15の態様によれば、第2の通信ユニットが提供され、第2の通信ユニットは、
受信機およびプロセッサ
を含み、
受信機は、ルートおよびリソース構成要求メッセージを受信するように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、サービスリンクテンプレート情報は、サービスリンク識別子とサービスリンクに関する情報の対応を示すために使用され、
プロセッサは、受信機によって受信されたサービスリンクテンプレート情報、およびネットワーク機能仮想化インフラストラクチャNFVIの物理的なリソースに関する情報に従って、サービスリンクテンプレートのサービスリンクに含まれるVNFに対するルートおよびリソース構成を実行するように構成される。
【００９１】
第15の態様に関して、第15の態様の第1の可能な実装方法では、受信機は、
NFVオーケストレータNFVOによって送られたルートおよびリソース構成要求メッセージを受信する
ように構成される。
【００９２】
第15の態様の第1の可能な実装方法に関して、第15の態様の第2の可能な実装方法では、第2の通信ユニットは送信機をさらに含み、
送信機は、ルートおよびリソース構成が成功した場合、ルートおよびリソース構成が成功したことを示す情報を送るように構成される。
【００９３】
本発明の実施形態は、NFVシステムにおけるサービス実装のための方法および通信ユニットを提供する。前述の技術的解決法に基づいて、サービスリンクルールを取得した後、第1の通信ユニットは、サービスリンクルールに従って、サービスルートが通過するサービスリンクに関する情報を取得することができ、次いで、サービスリンクに関する情報に従って、ルートおよびリソース構成を実行することを要求するために、サービスリンクに関する情報を運ぶルートおよび構成要求メッセージを送ることができ、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装するか、
または
OSS/BSSは、サービスルートが通過するサービスリンクテンプレート情報を取得することができ、次いでNFVOにサービスリンクテンプレート情報を送ることができ、NFVOは、サービスリンクテンプレート情報に従ってルートおよびリソース構成を要求し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【００９４】
本発明の実施形態における技術的解決法についてより明確に記述するために、以下に、実施形態または従来技術の記述に必要な添付の図面について簡潔に記述する。明らかに、以下の記述における添付の図面は、本発明の一部の実施形態を示しているにすぎず、当業者であれば、創造的な労力を用いることなくこれらの添付の図面から他の図面を導き出し得る。
【図面の簡単な説明】
【００９５】
【図１】本発明の実施形態によるNFVアーキテクチャを示す概略図である。
【図２】本発明の実施形態によるネットワークサービスのサービスリンクを示す概略図である。
【図３】本発明の実施形態によるNFVシステムにおけるサービス実装のための方法を示す図である。
【図４】本発明の実施形態によるNFVシステムにおけるサービス実装のための方法のシナリオを示す概略図である。
【図５】本発明の実施形態によるNFVシステムにおけるサービス実装のための方法を示す図である。
【図６】本発明の実施形態によるNFVシステムのサービス管理を示す概略図である。
【図７】本発明の実施形態による別のNFVシステムのサービス管理を示す概略図である。
【図８】本発明の実施形態によるVNFとNFVIのルーティングデバイスの対応を示す概略図である。
【図９】本発明の実施形態によるNFVシステムにおけるサービス実装のための方法を示す図である。
【図１０】本発明の実施形態によるNFVシステムにおけるサービス実装のための別の方法を示す別の図である。
【図１１】本発明の実施形態によるNFVシステムにおけるサービス実装のためのさらに別の方法を示す図である。
【図１２】本発明の実施形態によるNFVシステムにおけるサービス実装のためのさらに別の方法を示す図である。
【図１３】本発明の実施形態によるNFVシステムにおけるサービス実装のためのさらに別の方法を示す図である。
【図１４Ａ】本発明の実施形態によるNFVシステムにおけるサービス実装のためのさらに別の方法を示す図である。
【図１４Ｂ】本発明の実施形態によるNFVシステムにおけるサービス実装のためのさらに別の方法を示す図である。
【図１５】本発明の実施形態によるNFVシステムにおけるサービス実装のためのさらに別の方法を示す図である。
【図１６Ａ】本発明の実施形態によるNFVシステムにおけるサービス実装のためのさらに別の方法を示す図である。
【図１６Ｂ】本発明の実施形態によるNFVシステムにおけるサービス実装のためのさらに別の方法を示す図である。
【図１７】本発明の実施形態による第1の通信ユニットを示す図式的な構造図である。
【図１８】本発明の実施形態による別の第1の通信ユニットを示す図式的な構造図である。
【図１９】本発明の実施形態によるさらに別の第1の通信ユニットを示す図式的な構造図である。
【図２０】本発明の実施形態によるさらに別の第1の通信ユニットを示す図式的な構造図である。
【図２１】本発明の実施形態による第2の通信ユニットを示す図式的な構造図である。
【図２２】本発明の実施形態による別の第2の通信ユニットを示す図式的な構造図である。
【図２３】本発明の実施形態によるOSS/BSSを示す図式的な構造図である。
【図２４】本発明の実施形態による別のOSS/BSSを示す図式的な構造図である。
【図２５】本発明の実施形態によるNFVOを示す図式的な構造図である。
【図２６】本発明の実施形態による第2の通信ユニットを示す図式的な構造図である。
【図２７】本発明の実施形態による別の第2の通信ユニットを示す図式的な構造図である。
【図２８】本発明の実施形態による第1の通信ユニットを示す図式的な構造図である。
【図２９】本発明の実施形態による別の第1の通信ユニットを示す図式的な構造図である。
【図３０】本発明の実施形態による第2の通信ユニットを示す図式的な構造図である。
【図３１】本発明の実施形態による別の第2の通信ユニットを示す図式的な構造図である。
【図３２】本発明の実施形態によるOSS/BSSを示す図式的な構造図である。
【図３３】本発明の実施形態による別のOSS/BSSを示す図式的な構造図である。
【図３４】本発明の実施形態によるNFVOを示す図式的な構造図である。
【図３５】本発明の実施形態による第2の通信ユニットを示す図式的な構造図である。
【図３６】本発明の実施形態による別の第2の通信ユニットを示す図式的な構造図である。
【発明を実施するための形態】
【００９６】
理解を容易にするために、NFVアーキテクチャについて最初に記述する。図1に示すように、アーキテクチャにおける機能ユニットは以下を含む。
【００９７】
(1)VNFユニット:従来の仮想化されていないネットワークにおける物理的なネットワーク機能(Physical Network Function、PNF)に対応する。たとえば、VNFユニットは、仮想化された発展型パケットコア(Evolved Packet Core、EPC)ノード(モビリティ管理エンティティ(Mobility Management Entity、MME)、サービングゲートウェイ(Serving Gateway、SGW)、パケットデータネットワークゲートウェイ(Packet Data Network-Gateway、PGW)など)の場合がある。VNFおよびPNFは、同じ機能的な振る舞いおよび外部インターフェースを持つ。
【００９８】
(2)要素管理システム(Element Management System、EMS)ユニット:VNFに対する障害管理、構成管理、アカウンティング管理、パフォーマンス管理、セキュリティ管理(Fault Management、Configuration Management、Accounting Management、Performance Management、Security Management、FCAPS)機能を実行する。
【００９９】
(3)NFVインフラストラクチャ(NFV Infrastructure、NFVI)ユニット:NFVIは、ハードウェアリソース、仮想リソース、および仮想化レイヤを含む。
【０１００】
仮想リソースは、ソフトウェアを使用することによってシミュレーションされ、ハードウェアシステム機能を持つリソースを指している。仮想化レイヤは、高度なリソース管理機能を持つ仮想ホストプラットフォームを指している。
【０１０１】
一般的に、仮想化レイヤとハードウェアリソースの組み合わせは、VNFに必要な仮想リソースを提供することができるエンティティである。
【０１０２】
(4)仮想化されたインフラストラクチャ管理(Virtualized Infrastructure Manager、VIM)ユニット:仮想ネットワークリソースの計算および記憶ならびに仮想ネットワークリソースを制御および管理するように構成された仮想化されたエンティティを含む。
【０１０３】
(5)NFVオーケストレータ(NFV Orchestrator、NFVO):NFVリソース(NFVIおよびVNFのリソースを含む)の編成および管理、ならびにNFVIのNFVサービストポロジの実装を担当する。
【０１０４】
(6)VNFマネージャ(VNF Manager、VNFM)ユニット:VNFインスタンスのライフサイクル管理を担当する。
【０１０５】
(7)運用支援システム/ビジネス支援システム(Operations Support System/Business Support System、OSS/BSS):通信事業会社の統合されたリソース情報共有支援システムを表しており、主に、ネットワーク管理、システム管理、課金、ビジネス、アカウント、および顧客サービスなどの部分を含む。
【０１０６】
NFVO、VNFM、およびVIMはともに、NFV管理およびネットワークオーケストレーション(NFV Management and network Ochestration、NFV MANO)アーキテクチャを形成する。
【０１０７】
図1に示したNFVアーキテクチャの構成ファイルは、以下を含む。
サービス、VNF、およびインフラストラクチャ記述。VNF接続関連情報、サービス関連情報、ならびにVNFおよびNFVIの情報モデルを提供する。
【０１０８】
図1に示したNFVアーキテクチャのインターフェースは、以下を含む。
【０１０９】
(1)仮想化レイヤとハードウェアリソースの間のVI-Haインターフェース:仮想化レイヤは、インターフェースを使用することによって、関連するハードウェアリソース状態情報を収集することをハードウェアリソースに要求し得る。
【０１１０】
(2)VNFとNFVIの間のVn-Nfインターフェース:NFVIによってVNFに提供される実行環境について記述する。
【０１１１】
(3)NFVOとVNFMの間のOr-Vnfmインターフェース:NFV MANOの内部インターフェース。
【０１１２】
機能1:VNFMは、VNFライフサイクル管理のために、たとえばリソース承認、認証、予約、および割り当てなど、NFVOにリソースに関連する要求を送る。
【０１１３】
機能2:NFVOは、VNFMに構成情報を送るため、VNFは、VNF転送グラフに従って適切に構成され得る。
【０１１４】
機能3:VNFライフサイクル管理のためにVNF状態情報を収集する。
【０１１５】
(4)VIMとVNFMの間のVi-Vnfmインターフェース:NFV MANOの内部インターフェース。
【０１１６】
機能1:VNFMは、リソース割り当て要求を送る。
【０１１７】
機能2:仮想ハードウェアリソースならびにルートおよび交換状態の情報を構成する(たとえばイベント)。
【０１１８】
(5)NFVOとVIMの間のOr-Viインターフェース:NFV MANOの内部インターフェース。
【０１１９】
機能1:NFVOは、リソース予約要求を送る。
【０１２０】
機能2:NFVOは、リソース割り当て要求を送る。
【０１２１】
機能3:仮想ハードウェアリソースならびにルートおよび交換状態の情報を構成する(たとえばイベント)。
【０１２２】
(6)NFVIとVIMの間のNf-Viインターフェース。
【０１２３】
機能1:リソース割り当て要求に従って特定のリソースを割り当てる。
【０１２４】
機能2:仮想リソース状態情報を転送する。
【０１２５】
機能3:仮想ハードウェアリソースならびにルートおよび交換状態の情報を構成する(たとえばイベント)。
【０１２６】
(7)OSS/BSSとNFVOの間のOs-Maインターフェース。
【０１２７】
機能1:サービスライフサイクル管理を要求する。
【０１２８】
機能2:VNFライフサイクル管理を要求する。
【０１２９】
機能3:NFVに関連する状態情報を転送する。
【０１３０】
機能4:ポリシー管理情報を交換する。
【０１３１】
機能5:データ分析情報を交換する。
【０１３２】
機能6:NFVに関連する課金を転送し記録を使用する。
【０１３３】
機能7:容量およびストック(stock)情報を交換する。
【０１３４】
(8)VNF/EMSとVNFMの間のVe-Vnfmインターフェース。
【０１３５】
機能1:VNFライフサイクル管理を要求する。
【０１３６】
機能2:構成情報を交換する。
【０１３７】
サービスライフサイクル管理によって必要とされる状態情報を交換する。
【０１３８】
(9)サービス、VNF、およびインフラストラクチャ記述とNFV MANOの間のSe-Maインターフェース:インターフェースは、VNF転送グラフ関連情報、サービス関連情報、VNF関連情報、およびNFVI情報モデル関連情報を検索するように構成され、使用するためにNFV MANOに情報を提供する。
【０１３９】
次に、図2に示すように、ネットワークサービスのサービスリンクの概略図が本明細書に提供される。サービスリンクは、2つのエンドポイント(エンドポイントAおよびエンドポイントB)、3つのVNF(VNF1、VNF2、およびVNF3)、および3つのインフラストラクチャネットワーク(インフラストラクチャネットワーク1、インフラストラクチャネットワーク2、およびインフラストラクチャネットワーク3)を含み、インフラストラクチャネットワーク1は、エンドポイントAとVNF1の間のリンク接続を提供し、インフラストラクチャネットワーク3は、VNF3とエンドポイントBの間のリンク接続を提供し、インフラストラクチャネットワーク2は、VNF1、VNF2、およびVNF3の間のリンク接続を提供し、VNF1、VNF2、およびVNF3は、インフラストラクチャネットワーク2によって提供される論理リンクを使用することによってつながれ、統合ネットワーク機能を形成する。すなわち、特定の機能を実装するためのサービスリンクである。図2では、破線は論理結合を表し、実線は物理的接続を表している。
【０１４０】
以下に、本発明の実施形態の添付の図面に関して、本発明の実施形態における技術的解決法について記述する。明らかに、記述された実施形態は、本発明の実施形態の一部にすぎず、すべてを示すものではない。創造的な労力なく本発明の実施形態に基づいて当業者によって取得された他のすべての実施形態は、本発明の保護範囲以内にあるものとする。
【０１４１】
実施形態1
本発明の本実施形態は、NFVシステムにおけるサービス実装のための方法を提供する。図3に示すように、方法は以下を含む。
【０１４２】
301:第1の通信ユニットは、サービスリンクルールを取得し、サービスリンクルールは、実行される必要のあるサービス処理を示すために使用される。
【０１４３】
本発明の本実施形態を実行する第1の通信ユニットは、サービスリンクコントローラの場合があるか、またはPGW、ポリシーおよび課金ルール機能エンティティ(Policy and Charging Rules Function、PCRF)、トラフィック検出エンティティ(Traffic Detection Function、TDF)、またはトラフィッククラシファイヤ(traffic classifier)などのネットワークノードの場合があり、本発明の本実施形態では限定されない。PGW、PCRF、TDF、またはトラフィッククラシファイヤなどのネットワークノードは、VNFユニットの場合があるか、またはPNFユニットの場合があり、これは、本発明の本実施形態では限定されない。
【０１４４】
サービスリンクコントローラは、サービスリンクを制御するように構成されたコントローラである。サービスリンクコントローラは、本質的にソフトウェアで定義されたネットワーキング(Software-Defined Network、SDN)コントローラである。SDNコントローラは、OpenFlowプロトコルを使用することによって、下位レイヤのデバイスルーティングおよびデータ転送制御を実装する。下位レイヤのデバイスルーティングおよびデータ転送制御の方法は、既存の技術的解決法に属する。詳細は本明細書には記述していない。
【０１４５】
サービスリンクコントローラは、GI LANネットワークのサービスリンクを制御するように構成された、GIローカルエリアネットワーク(Local Area Network、LAN)コントローラの場合があることに注意されたい。GI LANは、ワイヤレスGIインターフェースからインターネット(Internet)へのネットワークを指し、異なるサービス機能(service function、SF)を含む。1つのサービスリンクは、複数のSFを含み、1つのサービスリンクは、1つのサービスパッケージに対応し、1つのサービスパッケージは、複数のサービスリンクを含むことができる。
【０１４６】
確かに、サービスリンクコントローラは、別のネットワークを制御するサービスリンクコントローラの場合があり、これは、本発明の本実施形態では限定されない。
【０１４７】
本発明の本実施形態では、サービスリンクルールは、実行される必要のあるサービス処理を示すために使用され、以下を含むことができる。
たとえばビデオ最適化(Video optimization)などのサービスルートポリシー。
【０１４８】
サービスルートポリシーは、一般的に、サービスルートポリシーテーブルを使用することによって表され、第1の通信ユニットは、サービスルートポリシーテーブルに問い合わせることによってサービスルートポリシーを決定することができることに注意されたい。
【０１４９】
具体例として、サービスルートポリシーテーブルを図1に示している。
【０１５０】
【表１】
0006408602.tif 000002
【０１５１】
あるいは、サービスリンクルールは、以下をさらに含むことができる。
サービスルートが通過する論理ユニット、たとえば、ビデオ最適化が通過する必要のあるVNFのタイプ:TCPプロキシ->ビデオキャッシュ->NAT、または
サービスリンクに関する情報、たとえば、VNF7->VNF2->VNF3。
【０１５２】
サービスリンクルールは、本発明の本実施形態において限定されない。
【０１５３】
302:第1の通信ユニットは、サービスリンクルールに従って、サービスルートが通過するサービスリンクに関する情報を取得する。
【０１５４】
サービスリンクに関する情報は、サービスルートが通過するVNFに関する情報を示すために使用され、VNFはサービス処理のために構成される。
【０１５５】
ステップ301に記述したように、サービスリンクルールは、サービスリンクに関する情報を直接的に含む場合があるか、またはサービスリンクに関する情報を含まない場合がある。したがって、サービスリンクルールに従って第1の通信ユニットによって、サービスルートが通過するサービスリンクに関する情報を取得するステップの前に、方法は、以下をさらに含むことができる。
サービスリンクルールがサービスリンクに関する情報を含むかどうかを決定するステップ。
【０１５６】
サービスリンクルールがサービスリンクに関する情報を含んでいる場合、第1の通信ユニットは、サービスリンクルールに含まれるサービスリンクに関する情報を直接的に取得することができる。
【０１５７】
サービスリンクルールがサービスリンクに関する情報を含んでいない場合、第1の通信ユニットは、以下の方法でサービスリンクに関する情報を取得することができる。
サービスリンクルールに従って、サービスルートが通過するVNFのタイプおよびVNFのタイプの各VNFタイプに含まれるVNFの識別情報を決定するステップと、
問い合わせ要求メッセージを送るステップであって、問い合わせ要求メッセージは、VNFの識別情報に従って、各VNFタイプに含まれるVNFの第1の情報を問い合わせることを要求するために、各VNFタイプに含まれるVNFの識別情報を運び、第1の情報は、NFVIのネットワークトポロジ、ノード能力、および状態を示すために使用される、ステップと、
各VNFタイプに含まれるVNFの第1の情報を受信するステップと、
各VNFタイプに含まれるVNFの第1の情報に従ってサービスリンクに関する情報を生成するステップ。
【０１５８】
本発明の本実施形態では、サービスリンクに関する情報は、VNF7->VNF2->VNF3によって示されるサービスリンクの場合があるか、またはサービスリンクを表す情報の場合があり、たとえば、サービスリンクに関する情報は、サービスリンクを形成するVNFに関する情報を含む場合があるか、またはサービスストリーム識別子を含む場合があり、これは、本発明の本実施形態では限定されないことに注意されたい。
【０１５９】
本発明の本実施形態において、ステップ301に記述したように、第1の通信ユニットは、VNFユニットの場合があるか、またはPNFユニットの場合があることに注意されたい。
【０１６０】
第1の通信ユニットがVNFユニットである場合、第1の通信ユニットは、VNFMを使用することによって第2の通信ユニットに問い合わせ要求メッセージを送るために、VNFMに問い合わせ要求メッセージを直接的に送ることができるか、またはOSS/BSSを使用することによって第2の通信ユニットに問い合わせ要求メッセージを送るために、OSS/BSSに問い合わせ要求メッセージを直接的に送ることができ、これは、本発明の本実施形態では限定されない。
【０１６１】
第1の通信ユニットがPNFユニットである場合、第1の通信ユニットは、OSS/BSSを使用することによって第2の通信ユニットに問い合わせ要求メッセージを送るために、OSS/BSSに問い合わせ要求メッセージを直接的にのみ送ることができ、VNFMに問い合わせ要求メッセージを直接的に送ることができない。
【０１６２】
第2の通信ユニットは、VIMの場合があるか、またはNFVIコントローラの場合があり、これは、本発明の本実施形態では限定されない。NFVIコントローラの関連する記述について、実施形態2のステップ501の部分を参照すること。詳細はここには記述しない。
【０１６３】
確かに、サービスリンクルールに従って、サービスルートが通過するサービスリンクに関する情報を取得する別の方法がある場合があり、これは、本発明の本実施形態では限定されない。
【０１６４】
サービスリンクルールがサービスリンクに関する情報を含んでいる場合、第1の通信ユニットは、また、サービスリンクに含まれるVNFの状態が異常かどうかを決定するために、第2の通信ユニットを使用することによって、サービスリンクに含まれるVNFの第1の情報を問い合わせることができることに注意されたい。第2の通信ユニットが、問い合わせを通じて、サービスリンクに含まれているVNFの状態が異常であることを取得した場合(たとえば、リソース負荷が事前設定しきい値を超えている)、第2の通信ユニットは、間に合うように第1の通信ユニットに異常情報をフィードバックするため、第1の通信ユニットは、サービスリンクルールを送るエンティティに異常情報をフィードバックし、次いで、サービスリンクルールを送るエンティティは、対応するポリシーに従って、たとえば、サービスリンクに関する情報を再度送るなど、対応する処理を実行する。サービスリンクルールがサービスリンクに関する情報を含んでいる場合に、第2の通信ユニットを使用することによって、サービスリンクに含まれるVNFの第1の情報を問い合わせる必要があるかどうかは、本発明の本実施形態では限定しない。
【０１６５】
303:第1の通信ユニットは、ルートおよびリソース構成要求メッセージを送り、ルートおよびリソース構成要求メッセージは、サービスリンクに関する情報に従って、サービスリンクに含まれるVNFに対するルートおよびリソース構成を実行することを要求するために、サービスリンクに関する情報を運ぶ。
【０１６６】
ステップ301に記述したように、第1の通信ユニットは、VNFユニットの場合があるか、またはPNFユニットの場合がある。
【０１６７】
第1の通信ユニットがVNFユニットである場合、第1の通信ユニットは、VNFMを使用することによって第2の通信ユニットにルートおよびリソース構成要求メッセージを送るために、VNFMにルートおよびリソース構成要求メッセージを直接的に送ることができるか、OSS/BSSを使用することによって第2の通信ユニットにルートおよびリソース構成要求メッセージを送るために、OSS/BSSにルートおよびリソース構成要求メッセージを直接的に送ることができ、これは、本発明の本実施形態では限定されない。
【０１６８】
第1の通信ユニットがPNFユニットである場合、第1の通信ユニットは、OSS/BSSを使用することによって第2の通信ユニットにルートおよびリソース構成要求メッセージを送るために、OSS/BSSにルートおよびリソース構成要求メッセージを直接的にのみ送ることができ、VNFMに問い合わせ要求メッセージを直接的に送ることができない。
【０１６９】
上に記述したように、第2の通信ユニットは、VIMの場合があるか、またはNFVIコントローラの場合があり、これは、本発明の本実施形態では限定されない。
【０１７０】
確かに、ルートおよびリソース構成が成功した場合、第1の通信ユニットは、ルートおよびリソース構成が成功したことを示す情報をさらに受信することができ、これは、本発明の本実施形態では限定されない。
【０１７１】
結論として、具体例として、本発明の本実施形態を実行する第1の通信ユニットは、サービスリンクコントローラであることが想定され、NFVシステムにおけるサービス実装のための方法のシナリオの概略図が本明細書に提供され、図4に示すように、PCRF、PGW、サービスリンクコントローラ、NFVシステム、およびサポートされ得るネットワークを含み、NFVシステムは、たとえばビデオ最適化、コンテンツフィルタリング、ブラウザ最適化など、複数のVNFタイプを含み、各VNFタイプは、1つまたは複数のVNFを含む。サポートされ得るネットワークは、第2世代(2rd Generation、2G)ネットワーク、またはユニバーサルモバイルテレコミュニケーションシステム(Universal Mobile Telecommunications System、UMTS)ネットワーク、またはロングタームエボリューション(Long Term Evolution、LTE)ネットワークである。
【０１７２】
図4で、PCRFなどの第3世代パートナーシッププロジェクト(3rd Generation Partnership Project、3GPP)ネットワーク要素は、サービスリンクルール決定エンティティとして機能する。ユーザ情報、サービス情報、およびネットワーク情報に従ってサービスリンクルールを決定した後、PCRFは、サービスリンクコントローラに通知するため、サービスリンクコントローラは、サービスリンクルールを取得し、情報交換およびサービスリンクルール転送は、Diameterプロトコルを使用することによって、サービスリンクコントローラとワイヤレスネットワークノード(たとえばPCRFまたはPGW)の間で実行される。
【０１７３】
サービスリンクコントローラは、サービスリンクルールを取得するために機能し、サービスリンクルールに従って、サービスルートが通過するサービスリンクに関する情報を取得する。可能な実装方法では、サービスリンクルールがサービスリンクに関する情報を含んでいる場合、サービスリンクコントローラは、サービスリンクルールに含まれるサービスリンクに関する情報を直接的に取得することができる。サービスリンクルールがサービスリンクに関する情報を含んでいない場合、サービスリンクコントローラは、NFVIのネットワークトポロジおよびリソース状態などの情報を問い合わせるようにNFV MANOに指示し、NFVIのネットワークトポロジおよびリソース状態などの情報に従ってサービスリンクに関する情報を生成する。サービスリンクに関する情報を取得した後、サービスリンクコントローラは、ルートおよびリソース構成を実行するようにVIMまたはNFVIコントローラに指示することができる。サービスリンクコントローラは、VNFとして機能し、情報交換は、RESTfulプロトコルを使用することによってVNFとVNFMの間で実行され得る。
【０１７４】
本発明の本実施形態において提供されるNFVシステムにおけるサービス実装のための方法に基づいて、サービスリンクルールを取得した後、第1の通信ユニットは、サービスリンクルールに従って、サービスルートが通過するサービスリンクに関する情報を取得することができ、次いで、サービスリンクに関する情報に従って、サービスリンクに含まれるVNFのためのルートおよびリソース構成を実行することを要求するために、サービスリンクに関する情報を運ぶルートおよび構成要求メッセージを送ることができ、サービスリンクに関する上位レイヤ情報を取得する機能を実装し、サービスリンクに関する上位レイヤ情報を使用することによってNFVIのルートおよびリソース構成を案内し、NFVネットワークサービスリンクの確立を実装する。
【０１７５】
実施形態2
本発明の本実施形態は、NFVシステムにおけるサービス実装のための方法を提供する。図5に示すように、方法は以下を含む。
【０１７６】
501:第2の通信ユニットは、ルートおよびリソース構成要求メッセージを受信し、ルートおよびリソース構成要求メッセージは、サービスリンクに関する情報に従って、サービスリンクに含まれるVNFに対するルートおよびリソース構成を実行することを要求するために、サービスルートが通過するサービスリンクに関する情報を運ぶ。
【０１７７】
サービスリンクに関する情報は、サービスリンクルールに従って取得され、サービスリンクルールは、実行される必要のあるサービス処理を示すために使用され、サービスリンクに関する情報は、サービスルートが通過するVNFに関する情報を示すために使用され、VNFはサービス処理のために構成される。
【０１７８】
本発明の本実施形態を実行する第2の通信ユニットは、VIMの場合があるか、またはNFVIコントローラの場合があり、これは、本発明の本実施形態では限定されない。NFVIコントローラは、サービスリンクコントローラに類似し、また、本質的にSDNコントローラであり、サービスリンクコントローラは、VNFレイヤでVNFのロジックおよびルーティングを制御し、NFVIコントローラは、NFVIの物理的なリソースの接続およびルーティングを制御する。NFVIコントローラは、VIMまたはNFVIに展開され得るか、または独立して展開され得、これは、本発明の本実施形態では限定されない。
【０１７９】
NFVIコントローラがある場合、NFVIコントローラはVIMに展開され得るか、または独立して展開され得るため、本発明の本実施形態において、NFVIコントローラがあり、NFVIコントローラがVIMに展開されている場合、第2の通信ユニットはVIMであると考えられ、NFVIコントローラがあり、NFVIコントローラがNFVIに展開されているか、または独立して展開されている場合、第2の通信ユニットはNFVIコントローラであると考えられ得、NFVIコントローラがない場合、本発明の本実施形態を実行する第2の通信ユニットはVIMであることに注意されたい。
【０１８０】
具体例として、NFVIコントローラがないと想定すると、図6に示すNFVシステムのサービス管理の概略図が取得され得、右側はNFV MANOアーキテクチャを示し、詳細はここに繰り返していない。サービスリンクコントローラは、VNFレイヤでVNFのロジックおよびルーティングを制御し、VIMは、NFVIの物理的なリソースの接続およびルーティングを管理し、仮想マシン(Virtual Machine、VM)は、仮想のリソースを運ぶように構成される。
【０１８１】
具体例として、NFVIコントローラがあると想定すると、図7に示すNFVシステムのサービス管理の概略図が取得され得、右側はNFV MANOアーキテクチャを示し、詳細はここに繰り返していない。サービスリンクコントローラは、VNFレイヤでVNFのロジックおよびルーティングを制御し、NFVIコントローラは、NFVIの物理的なリソースの接続およびルーティングを管理し、VMは、仮想のリソースを運ぶように構成される。
【０１８２】
本発明の本実施形態では、第2の通信ユニットによって受信されたルートおよびリソース構成要求メッセージは、VNFMによって送られ得るか、またはOSS/BSSによって送られ得、これは、本発明の本実施形態では限定されない。
【０１８３】
502:第2の通信ユニットは、サービスリンクに関する情報、およびNFVIの物理的なリソースに関する情報に従って、サービスリンクに含まれるVNFのためのルートおよびリソース構成を実行する。
【０１８４】
本発明の本実施形態では、ルートおよびリソース構成要求メッセージを受信した後、第2の通信ユニットは、以下の方法を使用することによって、サービスリンクに関する運ばれた情報、およびNFVIの物理的なリソースに関する情報に従って、サービスリンクに含まれるVNFのためのルートおよびリソース構成を実行することができる。
【０１８５】
サービスリンクに関する情報を取得した後、第2の通信ユニットは、サービスリンクに関する運ばれた情報、およびNFVIの物理的なリソースに関する情報に従って、サービスリンクに含まれるVNFに対応するNFVIのルーティングデバイスを別々に決定し、次いで、VNFに対応するNFVIのルーティングデバイスにサービスルート情報テーブルを別々に送り、NFVIのルーティングデバイスは、サービスルート情報テーブルに従って、対応するサービスストリームを転送する。
【０１８６】
具体例として、サービスリンクに関する情報は、VNF7->VNF2->VNF3と想定すると、ケース1またはケース2に示されたサービスルート情報テーブルは、VNF7に対応するルーティングデバイスに送られ得る。
【０１８７】
ケース1:
サービスリンク識別子:VNF7->VNF2->VNF3
VNF7インターフェース:インターフェース1、および
VNF2インターフェース:インターフェース2。
【０１８８】
ケース2:
サービスリンク識別子:VNF7->VNF2、
VNF7インターフェース:インターフェース1、および
VNF2インターフェース:インターフェース2。
【０１８９】
ケース1のサービスリンク識別子は、サービスリンク全体に関する情報を含み、ケース2のサービスリンク識別子は、次のホップに関する情報のみを含む。
【０１９０】
続いて、VNF7のルーティングデバイスは、伝達されたサービスルート情報テーブルに従って、対応するサービスストリームを転送する。たとえば、2つのケースで提供されるサービスルート情報テーブルに従って、サービスストリームは、VNF7のルーティングデバイスの出力インターフェース1から出力され、VNF2のルーティングデバイスの入力インターフェース2から入力される。
【０１９１】
図8に示した対応は、第1の通信ユニットによって管理されるVNFとNFVIのルーティングデバイスの間に存在する、すなわち、NFVIのハードウェアリソースでは、第1の通信ユニットによって管理されるVNFはすべて、VNFに対応するルーティングデバイスを持っていることに注意されたい。
【０１９２】
本発明の本実施形態において、リソースおよび構成要求メッセージで運ばれるサービスリンクに関する情報は、第1の通信ユニットによって取得されたサービスリンクルールに直接的に含まれ得るか、または第1の通信ユニットによって取得されたサービスリンクルールに従って、第2の通信ユニットによって管理される物理的なリソースに関する情報が問い合わせられた後に取得され得ることに注意されたい。したがって、本発明の本実施形態で提供されるNFVシステムにおけるサービス実装のための方法は、以下をさらに含むことができる。
問い合わせ要求メッセージを受信するステップであって、問い合わせ要求メッセージは、VNFの識別情報に従って、各VNFタイプに含まれるVNFの第1の情報を問い合わせることを要求するために、サービスルートが通過するVNFのタイプの各VNFタイプに含まれるVNFの識別情報を運び、第1の情報は、NFVIのネットワークトポロジ、ノード能力、および状態を示すために使用される、ステップと、
問い合わせ要求メッセージに従って、NFVIの物理的なリソースを問い合わせ、各VNFタイプに含まれるVNFの第1の情報を取得するステップと、
各VNFタイプに含まれるVNFの第1の情報に従って、サービスリンクに関する情報を生成するために、各VNFタイプに含まれるVNFの第1の情報を送るステップ。
【０１９３】
第2の通信ユニットによって受信された問い合わせ要求メッセージは、VNFMによって送られ得るか、またはOSS/BSSによって送られ得、これは、本発明の本実施形態では限定されない。
【０１９４】
確かに、ルートおよびリソース構成が成功した場合、第2の通信ユニットは、ルートおよびリソース構成が成功したことを示す情報をさらに送ることができ、これは、本発明の本実施形態では限定されない。
【０１９５】
本発明の本実施形態において提供されるNFVシステムにおけるサービス実装のための方法に基づいて、第2の通信ユニットは、ルートおよびリソース構成要求メッセージを受信することができ、ルートおよびリソース構成要求メッセージは、サービスリンクに関する情報に従って、サービスリンクに含まれるVNFに対するルートおよびリソース構成を実行することを要求するために、サービスルートが通過するサービスリンクに関する情報を運び、次いで、サービスリンクに関する情報、およびNFVIの物理的なリソースに関する情報に従って、サービスリンクに含まれるVNFに対するサービスルートおよびリソース構成を実行し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０１９６】
実施形態3
本発明の本実施形態は、NFVシステムにおけるサービス実装のための方法を提供する。図9に示すように、方法は以下を含む。
【０１９７】
901:OSS/BSSは、サービスルートが通過するサービスリンクテンプレート情報を取得する。
【０１９８】
サービスリンクテンプレート情報は、サービスリンク識別子とサービスリンクに関する情報の対応を示すために使用される。
【０１９９】
本発明の本実施形態では、OSS/BSSは、すべてのサービスのサービスルートが通過するサービスリンクテンプレート情報を生成および維持することができ、NFVシステムにおけるサービス実装のプロセスでは、OSS/BSSは、サービスリンクテンプレート情報を最初に取得することができ、サービスリンクテンプレート情報は、サービスリンク識別子とサービスリンクに関する情報の対応を示すために使用される。
【０２００】
本発明の本実施形態では、サービスリンクテンプレート情報は、サービスリンク識別子、およびサービスリンクに対応するVNFのシーケンスなどの情報を含むことができ、これは、本発明の本実施形態では限定されない。
【０２０１】
具体例として、サービスリンクテンプレート情報は、Table 2(表2)に示され得る。
【０２０２】
【表２】
0006408602.tif 000003
【０２０３】
サービスリンクテンプレートは、ネットワークサービス記述(Network Service Description、NSD)またはVNF記述(Virtualized Network Function、VNFD)、に記憶され得るか、またはNSDおよびVNFDに依存しない場合があり、これは、本発明の本実施形態では限定されないことに注意されたい。
【０２０４】
902:OSS/BSSは、NFVOにサービスリンクテンプレート情報を送るため、NFVOは、サービスリンクテンプレート情報に従って、サービスリンクテンプレートのサービスリンクに含まれるVNFに対するルートおよびリソース構成を実行することを要求する。
【０２０５】
本発明の本実施形態では、サービスリンクテンプレート情報を取得した後、OSS/BSSは、NFVOにサービスリンクテンプレート情報を送ることができ、NFVOは、サービスリンクテンプレート情報に従って、サービスリンクテンプレートのサービスリンクに含まれるVNFに対するルートおよびリソース構成を実行することを要求する。
【０２０６】
確かに、NFVOにサービスリンクテンプレート情報を送った後、OSS/BSSは、サービスリンクテンプレート情報が受信されたことを示す情報をさらに受信することができ、これは、本発明の本実施形態では限定されない。
【０２０７】
加えて、OSS/BSSがNFVOにサービスリンクテンプレート情報を送った後、ルートおよびリソース構成が成功した場合、OSS/BSSは、ルートおよびリソース構成が成功したことを示す情報をさらに受信することができ、これは、本発明の本実施形態では限定されない。
【０２０８】
本発明の本実施形態において提供されるNFVシステムにおけるサービス実装のための方法に基づいて、OSS/BSSは、サービスルートが通過するサービスリンクテンプレート情報を取得することができ、サービスリンクテンプレート情報は、サービスリンク識別子とサービスリンクに関する情報の対応を示すために使用され、次いで、NFVOにサービスリンクテンプレート情報を送るため、NFVOは、サービスリンクテンプレート情報に従って、サービスリンクテンプレートのサービスリンクに含まれるVNFに対するルートおよびリソース構成を実行することを要求し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０２０９】
実施形態4
本発明の本実施形態は、NFVシステムにおけるサービス実装のための方法を提供する。図10に示すように、方法は以下を含む。
【０２１０】
1001:NFVOは、サービスルートが通過するサービスリンクテンプレート情報を受信する。
【０２１１】
サービスリンクテンプレート情報は、サービスリンク識別子とサービスリンクに関する情報の対応を示すために使用される。
【０２１２】
本発明の本実施形態では、NFVOは、サービスルートが通過するサービスリンクテンプレート情報を最初に受信し、サービスリンクテンプレート情報は、OSS/BSSによって生成および維持され、サービスリンク識別子とサービスリンクに関する情報の対応を示すために使用される。
【０２１３】
本発明の本実施形態では、サービスリンクテンプレート情報は、サービスリンク識別子、およびサービスリンクに対応するVNFのシーケンスなどの情報を含むことができる。具体的な例については、実施形態3のTable(表2)を参照すること。詳細はここには繰り返していない。
【０２１４】
1002:NFVOは、ルートおよびリソース構成要求メッセージを送り、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運ぶ。
【０２１５】
本発明の本実施形態では、サービスルートが通過するサービスリンクテンプレート情報を受信した後、NFVOは、サービスリンクテンプレートのサービスリンクに含まれるVNFに対するルートおよびリソース構成を実行するように第2の通信ユニットに指示する。したがって、NFVOは、ルートおよびリソース構成要求メッセージを送る必要があり、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運ぶ。
【０２１６】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０２１７】
確かに、サービスルートが通過するサービスリンクテンプレート情報を受信した後、NFVOは、サービスリンクテンプレート情報が受信されたことを示す情報をさらに送ることができ、これは、本発明の本実施形態では限定されない。
【０２１８】
加えて、本発明の本実施形態において、NFVOがルートおよびリソース構成要求メッセージを送った後、ルートおよびリソース構成が成功した場合、NFVOは、ルートおよびリソース構成が成功したことを示す情報をさらに受信することができ、これは、本発明の本実施形態では限定されない。
【０２１９】
本発明の本実施形態において提供されるNFVシステムにおけるサービス実装のための方法に基づいて、NFVOは、サービスルートが通過するサービスリンクテンプレート情報を受信することができ、サービスリンクテンプレート情報は、サービスリンク識別子とサービスリンクに関する情報の対応を示すために使用され、次いで、ルートおよびリソース構成要求メッセージを送り、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運び、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０２２０】
実施形態5
本発明の本実施形態は、NFVシステムにおけるサービス実装のための方法を提供する。図11に示すように、方法は以下を含む。
【０２２１】
1101:第2の通信ユニットは、ルートおよびリソース構成要求メッセージを受信し、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運ぶ。
【０２２２】
サービスリンクテンプレート情報は、サービスリンク識別子とサービスリンクに関する情報の対応を示すために使用される。
【０２２３】
本発明の本実施形態を実行する第2の通信ユニットは、VIMの場合があるか、またはNFVIコントローラの場合があり、これは、本発明の本実施形態では限定されない。
【０２２４】
NFVIコントローラの関連する記述については、実施形態2のステップ501の関連する記述を参照すること。詳細はここに繰り返していない。
【０２２５】
本発明の本実施形態では、サービスリンクテンプレート情報は、サービスリンク識別子、およびサービスリンクに対応するVNFのシーケンスなどの情報を含むことができる。具体的な例については、実施形態3のTable(表2)を参照すること。詳細はここには繰り返していない。
【０２２６】
本発明の本実施形態では、第2の通信ユニットによって受信されたルートおよびリソース構成要求メッセージは、VNFMによって送られ得るか、またはOSS/BSSによって送られ得、これは、本発明の本実施形態では限定されない。
【０２２７】
1102:第2の通信ユニットは、サービスリンクテンプレート情報、およびNFVIの物理的なリソースに関する情報に従って、サービスリンクテンプレートのサービスリンクに含まれるVNFに対するルートおよびリソース構成を実行する。
【０２２８】
本発明の本実施形態では、ルートおよびリソース構成要求メッセージを受信した後、第2の通信ユニットは、サービスリンクテンプレート情報、およびNFVIの物理的なリソースに関する情報に従って、サービスリンクテンプレートのサービスリンクに含まれるVNFに対するルートおよびリソース構成を実行する。
【０２２９】
サービスリンクテンプレートのサービスリンクに含まれるVNFに対するルートおよびリソース構成を第2の通信ユニットが実行するための特定の方法について、実施形態2のステップ502の関連する記述を参照すること。本発明の本実施形態における詳細はここには繰り返さない。
【０２３０】
確かに、ルートおよびリソース構成要求メッセージを受信後、ルートおよびリソース構成が成功した場合、第2の通信ユニットは、ルートおよびリソース構成が成功したことを示す情報をさらに送ることができ、これは、本発明の本実施形態では限定されない。
【０２３１】
本発明の本実施形態において提供されるNFVシステムにおけるサービス実装のための方法に基づいて、第2の通信ユニットは、ルートおよびリソース構成要求メッセージを受信し、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、次いで、サービスリンクテンプレート情報、およびNFVIの物理的なリソースに関する情報に従って、サービスリンクテンプレートのサービスリンクに含まれるVNFに対するルートおよびリソース構成を実行し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０２３２】
実施形態6
本発明の本実施形態は、NFVシステムにおけるサービス実装のための方法を提供する。方法は、例としてOSS/BSS、NFVO、VNFM、および第2の通信ユニットの間の対話を使用することによって記述されている。図12に示すように、方法は以下を含む。
【０２３３】
1201:OSS/BSSは、サービスルートが通過するサービスリンクテンプレート情報を取得する。
【０２３４】
サービスリンクテンプレート情報は、サービスリンク識別子とサービスリンクに関する情報の対応を示すために使用される。
【０２３５】
1202:OSS/BSSは、NFVOにサービスリンクテンプレート情報を送る。
【０２３６】
本発明の本実施形態では、ステップ1201および1202の関連する記述について、実施形態3のステップ901およびステップ902の関連する記述を参照すること。詳細はここには繰り返していない。
【０２３７】
1203:NFVOは、サービスリンクテンプレート情報を受信する。
【０２３８】
1204:NFVOは、第2の通信ユニットにルートおよびリソース構成要求メッセージを送り、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運ぶ。
【０２３９】
本発明の本実施形態では、ステップ1203およびステップ1204の関連する記述について、実施形態4のステップ1001および1002の関連する記述を参照すること。詳細はここには繰り返していない。
【０２４０】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０２４１】
本発明の本実施形態では、NFVOは、第2の通信ユニットにルートおよびリソース構成要求メッセージを直接的に送ることができるか、またはVNFMにルートおよびリソース構成要求メッセージを最初に送ることができ、次いで、VNFMを使用することによって第2の通信ユニットにルートおよびリソース構成要求メッセージを送ることができ、これは、本発明の本実施形態では限定されない。
【０２４２】
1205:第2の通信ユニットは、ルートおよびリソース構成要求メッセージを受信する。
【０２４３】
1206:第2の通信ユニットは、ルートおよびリソース構成要求メッセージで運ばれるサービスリンクテンプレート情報、およびNFVIの物理的なリソースに関する情報に従って、サービスリンクテンプレートのサービスリンクに含まれるVNFに対するルートおよびリソース構成を実行する。
【０２４４】
本発明の本実施形態では、ステップ1205およびステップ1206の関連する記述については、実施形態5のステップ1101および1102の関連する記述を参照すること。詳細はここでは繰り返していない。
【０２４５】
1207:第2の通信ユニットは、NFVOに、ルートおよびリソース構成が成功したことを示す情報を送る。
【０２４６】
本発明の本実施形態では、第2の通信ユニットは、NFVOに、ルートおよびリソース構成が成功したことを示す情報を直接的に送ることができるか、またはVNFMに、ルートおよびリソース構成が成功したことを示す情報を最初に送り、次いで、VNFMを使用することによってNFVOに、ルートおよびリソース構成が成功したことを示す情報を送ることができ、これは、本発明の本実施形態では限定されない。
【０２４７】
1208:NFVOは、ルートおよびリソース構成が成功したことを示す情報を受信する。
【０２４８】
ステップ1203の後に、NFVOは、OSS/BSSに、サービスリンクテンプレート情報が受信されたことを示す情報をさらに送ることができ、これは、本発明の本実施形態では限定されないことに注意されたい。
【０２４９】
ステップ1208の後に、NFVOは、第2の通信ユニットに、ルートおよびリソース構成が成功することを示す情報をさらに送ることができ、これは、本発明の本実施形態では限定されないことに注意されたい。
【０２５０】
サービスルートが通過するサービスリンクテンプレート情報を取得した後、OSS/BSSは、サービスリンクとユーザパッケージの対応を確立するためにPCRFと対話するため、PCRFは、ユーザ識別情報および対応するサービスリンク識別子を構成することに注意されたい。具体例として、サービスリンク識別子とユーザパッケージの対応は、Table 3(表3)に示され得る。
【０２５１】
【表３】
0006408602.tif 000004
【０２５２】
NFVOによって指示されるようにサービスリンクテンプレート情報に従って、ルートおよびリソース構成の実行に成功した後、第2の通信ユニットは、サービスストリームを転送することができることに注意されたい。サービスストリーム転送プロセスは、本発明の実施形態の保護範囲に属さないため、本発明の本実施形態に詳細に記述されていない。
【０２５３】
本発明の本実施形態において提供されるNFVシステムにおけるサービス実装のための方法に基づいて、OSS/BSSは、サービスルートが通過するサービスリンクテンプレート情報を取得し、サービスリンクテンプレート情報は、サービスリンク識別子とサービスリンクに関する情報の対応を示すために使用され、NFVOにサービスリンクテンプレート情報を送るため、NFVOは、サービスリンクテンプレート情報に従って、第2の通信ユニットに、サービスリンクテンプレートのサービスリンクに含まれるVNFに対するルートおよびリソース構成を実行することを要求し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０２５４】
実施形態7
本発明の本実施形態は、NFVシステムにおけるサービス実装のための方法を提供する。方法は、例をあげると、第1の通信ユニット、VNFM、NFVO、および第2の通信ユニットの間で対話を使用することによって記述され、第1の通信ユニットはVNFであると想定される。図13に示すように、方法は以下を含む。
【０２５５】
1301:第1の通信ユニットは、サービスリンクルールを取得し、サービスリンクルールは、実行される必要のあるサービス処理を示すために使用される。
【０２５６】
本発明の本実施形態では、第1の通信ユニットはVNFであり、サービスリンクコントローラの場合があるか、またはPGW、PCRF、TDF、またはトラフィッククラシファイヤなどのネットワークノードの場合があり、これは、本発明の本実施形態では限定されない。サービスリンクコントローラの関連する記述については、実施形態1のステップ301の記述を参照すること。本発明の本実施形態における詳細はここには繰り返さない。
【０２５７】
サービスリンクルールの関連する記述については、実施形態1のステップ301の記述を参照すること。本発明の本実施形態における詳細はここには繰り返さない。
【０２５８】
1302:第1の通信ユニットは、サービスリンクルールがサービスリンクに関する情報を含むかどうかを決定する。
【０２５９】
サービスリンクに関する情報は、サービスルートが通過するVNFに関する情報を示すために使用され、VNFはサービス処理のために構成される。
【０２６０】
実施形態1のステップ301におけるサービスリンクルールの関連する記述によれば、サービスリンクルールは、サービスリンクに関する情報を直接的に含む場合があるか、またはサービスリンクに関する情報を含まない場合があることが認識され得る。したがって、本発明の本実施形態において、サービスリンクルールを取得した後、第1の通信ユニットは、サービスリンクルールがサービスリンクに関する情報を含むかどうかを最初に決定する。サービスリンクルールがサービスリンクに関する情報を含んでいる場合、ステップ1303が実行される。
【０２６１】
サービスリンクに関する情報の関連する記述について、実施形態1のステップ302の関連する記述を参照すること。本発明の本実施形態における詳細はここには繰り返さない。
【０２６２】
1303:サービスリンクルールがサービスリンクに関する情報を含んでいる場合、第1の通信ユニットは、サービスリンクルールに含まれるサービスリンクに関する情報を取得する。
【０２６３】
1304:第1の通信ユニットは、VNFMにルートおよびリソース構成要求メッセージを送り、ルートおよびリソース構成要求メッセージは、サービスリンクに関する情報に従って、サービスリンクに含まれるVNFに対するルートおよびリソース構成を実行することを要求するために、サービスリンクに関する情報を運ぶ。
【０２６４】
本発明の本実施形態では、サービスリンクに関する情報を取得した後、第1の通信ユニットは、VNFMにルートおよびリソース構成要求メッセージを送る。
【０２６５】
1305:VNFMは、ルートおよびリソース構成要求メッセージを受信する。
【０２６６】
1306:VNFMは、第2の通信ユニットにルートおよびリソース構成要求メッセージを送る。
【０２６７】
本発明の本実施形態では、VNFMは、第2の通信ユニットにルートおよびリソース構成要求メッセージを直接的に送ることができるか、またはNFVOにルートおよびリソース構成要求メッセージを最初に送ることができ、NFVOは、第2の通信ユニットにルートおよびリソース構成要求メッセージを送り、これは、本発明の本実施形態では限定されない。
【０２６８】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０２６９】
1307:第2の通信ユニットは、ルートおよびリソース構成要求メッセージを受信する。
【０２７０】
1308:第2の通信ユニットは、ルートおよびリソース構成要求メッセージで運ばれるサービスリンクに関する情報、およびNFVIの物理的なリソースに関する情報に従って、サービスリンクに含まれるVNFに対するサービスルートおよびリソース構成を実行する。
【０２７１】
本発明の本実施形態では、第2の通信ユニットが、ルートおよびリソース構成要求メッセージで運ばれるサービスリンクに関する情報、およびNFVIの物理的なリソースに関する情報に従って、サービスリンクに含まれるVNFに対するサービスルートおよびリソース構成を実行する方法について、実施形態2のステップ502の記述を参照すること。本発明の本実施形態における詳細はここには繰り返さない。
【０２７２】
1309:第2の通信ユニットは、VNFMに、ルートおよびリソース構成が成功したことを示す情報を送る。
【０２７３】
本発明の本実施形態では、第2の通信ユニットは、VNFMに、ルートおよびリソース構成が成功したことを示す情報を直接的に送ることができるか、またはNFVOに、ルートおよびリソース構成が成功したことを示す情報を最初に送ることができ、NFVOは、VNFMに、ルートおよびリソース構成が成功したことを示す情報を送り、これは、本発明の本実施形態では限定されない。
【０２７４】
1310:VNFMは、ルートおよびリソース構成が成功したことを示す情報を受信する。
【０２７５】
1311:VNFMは、第1の通信ユニットに、ルートおよびリソース構成が成功したことを示す情報を送る。
【０２７６】
1312:第1の通信ユニットは、ルートおよびリソース構成が成功したことを示す情報を受信する。
【０２７７】
オプションとして、本発明の本実施形態は、NFVシステムにおけるサービス実装のための方法を提供する。方法は、例をあげると、第1の通信ユニット、VNFM、NFVO、および第2の通信ユニットの間で対話を使用することによって記述され、第1の通信ユニットはVNFであると想定される。図14Aおよび図14Bに示すように、方法は、以下を含む。
【０２７８】
1401:第1の通信ユニットは、サービスリンクルールを取得し、サービスリンクルールは、実行される必要のあるサービス処理を示すために使用される。
【０２７９】
本発明の本実施形態では、第1の通信ユニットはVNFであり、サービスリンクコントローラの場合があるか、またはPGW、PCRF、TDF、またはトラフィッククラシファイヤなどのネットワークノードの場合があり、これは、本発明の本実施形態では限定されない。サービスリンクコントローラの関連する記述については、実施形態1のステップ301の記述を参照すること。本発明の本実施形態における詳細はここには繰り返さない。
【０２８０】
サービスリンクルールの関連する記述については、実施形態1のステップ301の記述を参照すること。本発明の本実施形態における詳細はここには繰り返さない。
【０２８１】
1402:第1の通信ユニットは、サービスリンクルールがサービスリンクに関する情報を含むかどうかを決定する。
【０２８２】
サービスリンクに関する情報は、サービスルートが通過するVNFに関する情報を示すために使用され、VNFはサービス処理のために構成される。
【０２８３】
実施形態1のステップ301におけるサービスリンクルールの関連する記述によれば、サービスリンクルールは、サービスリンクに関する情報を直接的に含む場合があるか、またはサービスリンクに関する情報を含まない場合があることが認識され得る。したがって、本発明の本実施形態において、サービスリンクルールを取得した後、第1の通信ユニットは、サービスリンクルールがサービスリンクに関する情報を含むかどうかを最初に決定する。サービスリンクルールがサービスリンクに関する情報を含んでいない場合、ステップ1403が実行される。
【０２８４】
サービスリンクに関する情報の関連する記述については、実施形態1のステップ302の関連する記述を参照すること。本発明の本実施形態における詳細はここには繰り返さない。
【０２８５】
1403:サービスリンクルールがサービスリンクに関する情報を含んでいない場合、第1の通信ユニットは、サービスリンクルールに従って、サービスルートが通過するVNFのタイプおよびVNFのタイプの各VNFタイプに含まれるVNFの識別情報を決定する。
【０２８６】
具体例として、サービスリンクルールは、たとえばビデオ最適化などのサービスルートポリシーを含むと想定すると、第1の通信ユニットは、サービスルートポリシーの命令に従って、ビデオ最適化が通過する必要のあるVNFのタイプを決定する必要がある:TCPプロキシ->ビデオキャッシュ>NAT、および各VNFタイプに含まれるVNFの識別情報。たとえば、TCPプロキシ機能を実装するためのVNFは、VNF1およびVNF7を含み、ビデオキャッシュ機能を実装するためのVNFは、VNF2およびVNF8を含み、NAT機能を実装するためのVNFは、VNF3を含む。
【０２８７】
確かに、サービスリンクルールは、サービスルートが通過するVNFのタイプを直接的に含むことができ、これは、本発明の本実施形態では限定されない。
【０２８８】
1404:第1の通信ユニットは、VNFMに問い合わせ要求メッセージを送り、問い合わせ要求メッセージは、VNFの識別情報に従って、各VNFタイプに含まれるVNFの第1の情報を問い合わせることを要求するために、各VNFタイプに含まれるVNFの識別情報を運び、第1の情報は、NFVIのネットワークトポロジ、ノード能力、および状態を示すために使用される。
【０２８９】
本発明の本実施形態では、サービスルートが通過するVNFのタイプおよびVNFのタイプの各VNFタイプに含まれるVNFの識別情報を決定した後、第1の通信ユニットは、各VNFタイプに含まれるVNFの第1の情報を問い合わせるために、VNFMに問い合わせ要求メッセージを送る。
【０２９０】
具体例として、ステップ1403の例に基づいて、第1の通信ユニットは、VNF1、VFN7、VNF2、VNF8、およびVNF3の第1の情報を問い合わせるために、問い合わせ要求メッセージを送り、第1の情報は、NFVIのネットワークトポロジ、ノード能力、および状態を示すために使用される。
【０２９１】
1405:VNFMは、問い合わせ要求メッセージを受信する。
【０２９２】
1406:VNFMは、第2の通信ユニットに問い合わせ要求メッセージを送る。
【０２９３】
本発明の本実施形態では、VNFMは、第2の通信ユニットに問い合わせ要求メッセージを直接的に送ることができるか、または最初にNFVOに問い合わせ要求メッセージを送ることができ、NFVOは、第2の通信ユニットに問い合わせ要求メッセージを送り、これは、本発明の本実施形態では限定されない。
【０２９４】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０２９５】
1407:第2の通信ユニットは、問い合わせ要求メッセージを受信する。
【０２９６】
1408:第2の通信ユニットは、問い合わせ要求メッセージに従ってNFVIの物理的なリソースを問い合わせ、第1の情報を取得する。
【０２９７】
具体例として、ステップ1403の例に基づいて、第2の通信ユニットは、VNF1、VNF7、VNF2、VNF8、およびVNF3の第1の情報を別々に問い合わせることができ、次いで、第1の情報を取得することができる。たとえば、第1の情報は、以下の場合がある。
VNF1のリソース負荷は、事前設定しきい値を超える、VNF7、VNF2、およびVNF3のリソース負荷は比較的小さい、およびVNF8のリソース負荷は、比較的大きい。
【０２９８】
1409:第2の通信ユニットは、VNFMに第1の情報を送る。
【０２９９】
本発明の本実施形態では、第2の通信ユニットは、VNFMに第1の情報を直接的に送ることができるか、またはNFVOに第1の情報を最初に送ることができ、NFVOは、VNFMに第1の情報を送り、これは、本発明の本実施形態では限定されない。
【０３００】
1410:VNFMは、第1の情報を受信する。
【０３０１】
1411:VNFMは、第1の通信ユニットに第1の情報を送る。
【０３０２】
1412:第1の通信ユニットは、第1の情報を受信する。
【０３０３】
1413:第1の通信ユニットは、第1の情報に従ってサービスリンクに関する情報を生成する。
【０３０４】
第1の情報を受信した後、第1の通信ユニットは、第1の情報に従ってサービスリンクに関する情報を生成する。
【０３０５】
具体例として、ステップ1408の例に基づいて、第1の情報が次のとおりである場合:VNF1のリソース負荷は事前設定しきい値を超える、VNF7、VNF2、およびVNF3のリソース負荷は比較的小さい、およびVNF8のリソース負荷は比較的大きい、サービスリンクは第1の情報に従って以下のように生成され得る。
VNF7->VNF2->VNF3
【０３０６】
前述の例は、サービスリンクルールに従ってサービスリンクに関する情報を取得する方法を単に典型的に提供するものであり、確かに、異なるサービスリンクルールによると、第2の通信ユニットの問い合わせの後に取得されたサービスリンクに関する情報は異なる場合があり、これは、本発明の本実施形態では限定されないことに注意されたい。
【０３０７】
1414:第1の通信ユニットは、VNFMにルートおよびリソース構成要求メッセージを送り、ルートおよびリソース構成要求メッセージは、サービスリンクに関する情報に従って、サービスリンクに含まれるVNFに対するルートおよびリソース構成を実行することを要求するために、サービスリンクに関する情報を運ぶ。
【０３０８】
1415:VNFMは、ルートおよびリソース構成要求メッセージを受信する。
【０３０９】
1416:VNFMは、第2の通信ユニットにルートおよびリソース構成要求メッセージを送る。
【０３１０】
1417:第2の通信ユニットは、ルートおよびリソース構成要求メッセージを受信する。
【０３１１】
1418:第2の通信ユニットは、ルートおよびリソース構成要求メッセージで運ばれるサービスリンクに関する情報、およびNFVIの物理的なリソースに関する情報に従って、サービスルートおよびリソース構成を実行する。
【０３１２】
1419:第2の通信ユニットは、VNFMに、ルートおよびリソース構成が成功したことを示す情報を送る。
【０３１３】
1420:VNFMは、ルートおよびリソース構成が成功したことを示す情報を受信する。
【０３１４】
1421:VNFMは、第1の通信ユニットに、ルートおよびリソース構成が成功したことを示す情報を送る。
【０３１５】
1422:第1の通信ユニットは、ルートおよびリソース構成が成功したことを示す情報を受信する。
【０３１６】
本発明の本実施形態では、ステップ1414から1422の関連する記述については、図13に示した実施形態のステップ1304から1312の記述を参照すること。本発明の本実施形態における詳細はここには繰り返さない。
【０３１７】
本発明の本実施形態は、NFVシステムにおけるサービス実装のための方法をさらに提供する。方法は、例をあげると、第1の通信ユニット、OSS/BSS、VNFM、NFVO、および第2の通信ユニットの間の対話を使用することによって記述され、第1の通信ユニットは、VNFの場合があるか、またはPNFの場合があり、これは、本発明の本実施形態では限定されない。図15に示すように、方法は以下を含む。
【０３１８】
1501:第1の通信ユニットは、サービスリンクルールを取得し、サービスリンクルールは、実行される必要のあるサービス処理を示すために使用される。
【０３１９】
本発明の本実施形態では、第1の通信ユニットは、サービスリンクコントローラの場合があるか、またはPGW、PCRF、TDF、またはトラフィッククラシファイヤなどのネットワークノードの場合があり、これは、本発明の本実施形態では限定されない。サービスリンクコントローラの関連する記述については、実施形態1のステップ301の記述を参照すること。本発明の本実施形態における詳細はここでは繰り返さない。
【０３２０】
本発明の本実施形態において、PGW、PCRF、TDF、またはトラフィッククラシファイヤなどのネットワークノードは、VNFユニットの場合があるか、またはPNFユニットの場合があり、これは、本発明の本実施形態では限定されないことに注意されたい。
【０３２１】
サービスリンクルールの関連する記述については、実施形態1のステップ301の記述を参照すること。本発明の本実施形態における詳細はここでは繰り返さない。
【０３２２】
1502:第1の通信ユニットは、サービスリンクルールがサービスリンクに関する情報を含むかどうかを決定する。
【０３２３】
サービスリンクに関する情報は、サービスルートが通過するVNFに関する情報を示すために使用され、VNFはサービス処理のために構成される。
【０３２４】
実施形態1のステップ301におけるサービスリンクルールの関連する記述によれば、サービスリンクルールは、サービスリンクに関する情報を直接的に含む場合があるか、またはサービスリンクに関する情報を含まない場合があることが認識され得る。したがって、本発明の本実施形態において、サービスリンクルールを取得した後、第1の通信ユニットは、サービスリンクルールがサービスリンクに関する情報を含むかどうかを最初に決定する。サービスリンクルールがサービスリンクに関する情報を含んでいる場合、ステップ1503が実行される。
【０３２５】
サービスリンクに関する情報の関連する記述については、実施形態1のステップ302の関連する記述を参照すること。本発明の本実施形態における詳細はここには繰り返さない。
【０３２６】
1503:サービスリンクルールがサービスリンクに関する情報を含んでいる場合、第1の通信ユニットは、サービスリンクルールに含まれるサービスリンクに関する情報を取得する。
【０３２７】
1504:第1の通信ユニットは、OSS/BSSにルートおよびリソース構成要求メッセージを送り、ルートおよびリソース構成要求メッセージは、サービスリンクに関する情報に従って、サービスリンクに含まれるVNFに対するルートおよびリソース構成を実行することを要求するために、サービスリンクに関する情報を運ぶ。
【０３２８】
本発明の本実施形態では、サービスリンクに関する情報を取得した後、第1の通信ユニットは、OSS/BSSにルートおよびリソース構成要求メッセージを送る。
【０３２９】
1505:OSS/BSSは、ルートおよびリソース構成要求メッセージを受信する。
【０３３０】
1506:OSS/BSSは、NFVOにルートおよびリソース構成要求メッセージを送る。
【０３３１】
1507:NFVOは、ルートおよびリソース構成要求メッセージを受信する。
【０３３２】
1508:NFVOは、第2の通信ユニットにルートおよびリソース構成要求メッセージを送る。
【０３３３】
本発明の本実施形態では、NFVOは、第2の通信ユニットにルートおよびリソース構成要求メッセージを直接的に送ることができるか、またはVNFMにルートおよびリソース構成要求メッセージを最初に送ることができ、VNFMは、第2の通信ユニットにルートおよびリソース構成要求メッセージを送り、これは、本発明の本実施形態では限定されない。
【０３３４】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０３３５】
1509:第2の通信ユニットは、ルートおよびリソース構成要求メッセージを受信する。
【０３３６】
1510:第2の通信ユニットは、ルートおよびリソース構成要求メッセージで運ばれるサービスリンクに関する情報、およびNFVIの物理的なリソースに関する情報に従って、サービスリンクに含まれるVNFに対するサービスルートおよびリソース構成を実行する。
【０３３７】
本発明の本実施形態では、第2の通信ユニットが、ルートおよびリソース構成要求メッセージで運ばれるサービスリンクに関する情報、およびNFVIの物理的なリソースに関する情報に従って、サービスリンクに含まれるVNFに対するサービスルートおよびリソース構成を実行するための方法については、実施形態2のステップ502の記述を参照すること。本発明の本実施形態における詳細はここには繰り返さない。
【０３３８】
1511:第2の通信ユニットは、NFVOに、ルートおよびリソース構成が成功したことを示す情報を送る。
【０３３９】
本発明の本実施形態では、第2の通信ユニットは、NFVOに、ルートおよびリソース構成が成功したことを示す情報を直接的に送ることができるか、またはVNFMに、ルートおよびリソース構成が成功したことを示す情報を最初に送ることができ、VNFMは、NFVOに、ルートおよびリソース構成が成功したことを示す情報を送り、これは、本発明の本実施形態では限定されない。
【０３４０】
1512:NFVOは、ルートおよびリソース構成が成功したことを示す情報を受信する。
【０３４１】
1513:NFVOは、OSS/BSSに、ルートおよびリソース構成が成功したことを示す情報を送る。
【０３４２】
1514:OSS/BSSは、ルートおよびリソース構成が成功したことを示す情報を受信する。
【０３４３】
1515:OSS/BSSは、第1の通信ユニットに、ルートおよびリソース構成が成功したことを示す情報を送る。
【０３４４】
1516:第1の通信ユニットは、ルートおよびリソース構成が成功したことを示す情報を受信する。
【０３４５】
オプションとして、本発明の本実施形態は、NFVシステムにおけるサービス実装のための方法をさらに提供する。方法は、例をあげると、第1の通信ユニット、OSS/BSS、VNFM、NFVO、および第2の通信ユニットの間の対話を使用することによって記述され、第1の通信ユニットは、VNFの場合があるか、またはPNFの場合があり、これは、本発明の本実施形態では限定されない。図16Aおよび図16Bに示すように、方法は、以下を含む。
【０３４６】
1601:第1の通信ユニットは、サービスリンクルールを取得し、サービスリンクルールは、実行される必要のあるサービス処理を示すために使用される。
【０３４７】
本発明の本実施形態では、第1の通信ユニットは、サービスリンクコントローラの場合があるか、またはPGW、PCRF、TDF、またはトラフィッククラシファイヤなどのネットワークノードの場合があり、これは、本発明の本実施形態では限定されない。サービスリンクコントローラの関連する記述については、実施形態1のステップ301の記述を参照すること。本発明の本実施形態における詳細はここには繰り返さない。
【０３４８】
本発明の本実施形態において、PGW、PCRF、TDF、またはトラフィッククラシファイヤなどのネットワークノードは、VNFユニットの場合があるか、またはPNFユニットの場合があり、これは、本発明の本実施形態では限定されないことに注意されたい。
【０３４９】
サービスリンクルールの関連する記述について、実施形態1のステップ301の記述を参照すること。本発明の本実施形態における詳細はここには繰り返さない。
【０３５０】
1602:第1の通信ユニットは、サービスリンクルールがサービスリンクに関する情報を含むかどうかを決定する。
【０３５１】
サービスリンクに関する情報は、サービスルートが通過するVNFに関する情報を示すために使用され、VNFはサービス処理のために構成される。
【０３５２】
実施形態1のステップ301におけるサービスリンクルールの関連する記述によれば、サービスリンクルールは、サービスリンクに関する情報を直接的に含む場合があるか、またはサービスリンクに関する情報を含まない場合があることが認識され得る。したがって、本発明の本実施形態において、サービスリンクルールを取得した後、第1の通信ユニットは、サービスリンクルールがサービスリンクに関する情報を含むかどうかを最初に決定する。サービスリンクルールがサービスリンクに関する情報を含んでいない場合、ステップ1603が実行される。
【０３５３】
サービスリンクに関する情報の関連する記述について、実施形態1のステップ302の関連する記述を参照すること。本発明の本実施形態における詳細はここには繰り返さない。
【０３５４】
1603:サービスリンクルールがサービスリンクに関する情報を含んでいない場合、第1の通信ユニットは、サービスリンクルールに従って、サービスルートが通過するVNFのタイプおよびVNFのタイプの各VNFタイプに含まれるVNFの識別情報を決定する。
【０３５５】
1604:第1の通信ユニットは、OSS/BSSに問い合わせ要求メッセージを送り、問い合わせ要求メッセージは、VNFの識別情報に従って、各VNFタイプに含まれるVNFの第1の情報を問い合わせることを要求するために、各VNFタイプに含まれるVNFの識別情報を運び、第1の情報は、NFVIのネットワークトポロジ、ノード能力、および状態を示すために使用される。
【０３５６】
1605:OSS/BSSは、問い合わせ要求メッセージを受信する。
【０３５７】
1606:OSS/BSSは、NFVOに問い合わせ要求メッセージを送る。
【０３５８】
1607:NFVOは、問い合わせ要求メッセージを受信する。
【０３５９】
1608:NFVOは、第2の通信ユニットに問い合わせ要求メッセージを送る。
【０３６０】
本発明の本実施形態では、NFVOは、第2の通信ユニットに問い合わせ要求メッセージを直接的に送ることができるか、またはVNFMに問い合わせ要求メッセージを最初に送ることができ、VNFMは、第2の通信ユニットに問い合わせ要求メッセージを送り、これは、本発明の本実施形態では限定されない。
【０３６１】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０３６２】
1609:第2の通信ユニットは、問い合わせ要求メッセージを受信する。
【０３６３】
1610:第2の通信ユニットは、問い合わせ要求メッセージに従ってNFVIの物理的なリソースを問い合わせ、第1の情報を取得する。
【０３６４】
1611:第2の通信ユニットは、NFVOに第1の情報を送る。
【０３６５】
本発明の本実施形態では、第2の通信ユニットは、NFVOに第1の情報を直接的に送ることができるか、またはVNFMに第1の情報を最初に送ることができ、VNFMは、NFVOに第1の情報を送り、これは、本発明の本実施形態では限定されない。
【０３６６】
1612:NFVOは、第1の情報を受信する。
【０３６７】
1613:NFVOは、OSS/BSSに第1の情報を送る。
【０３６８】
1614:OSS/BSSは、第1の情報を受信する。
【０３６９】
1615:OSS/BSSは、第1の通信ユニットに第1の情報を送る。
【０３７０】
1616:第1の通信ユニットは、第1の情報を受信する。
【０３７１】
1617:第1の通信ユニットは、第1の情報に従ってサービスリンクに関する情報を生成する。
【０３７２】
本発明の本実施形態では、第1の通信ユニットは、サービスリンクルールに従って、第2の通信ユニットに問い合わせた後、サービスリンクに関する情報を取得する例について、第1の通信ユニットは、サービスリンクルールに従って第2の通信ユニットに問い合わせた後、サービスリンクに関する情報を取得する図14Aおよび図14Bに示した実施形態の例を参照すること。本発明の本実施形態における詳細はここには繰り返さない。
【０３７３】
1618:第1の通信ユニットは、OSS/BSSにルートおよびリソース構成要求メッセージを送り、ルートおよびリソース構成要求メッセージは、サービスリンクに関する情報に従って、サービスリンクに含まれるVNFに対するルートおよびリソース構成を実行することを要求するために、サービスリンクに関する情報を運ぶ。
【０３７４】
1619:OSS/BSSは、ルートおよびリソース構成要求メッセージを受信する。
【０３７５】
1620:OSS/BSSは、NFVOにルートおよびリソース構成要求メッセージを送る。
【０３７６】
1621:NFVOは、ルートおよびリソース構成要求メッセージを受信する。
【０３７７】
1622:NFVOは、第2の通信ユニットにルートおよびリソース構成要求メッセージを送る。
【０３７８】
1623:第2の通信ユニットは、ルートおよびリソース構成要求メッセージを受信する。
【０３７９】
1624:第2の通信ユニットは、ルートおよびリソース構成要求メッセージで運ばれるサービスリンクに関する情報、およびNFVIの物理的なリソースに関する情報に従って、サービスルートおよびリソース構成を実行する。
【０３８０】
1625:第2の通信ユニットは、NFVOに、ルートおよびリソース構成が成功したことを示す情報を送る。
【０３８１】
1626:NFVOは、ルートおよびリソース構成が成功したことを示す情報を受信する。
【０３８２】
1627:NFVOは、OSS/BSSに、ルートおよびリソース構成が成功したことを示す情報を送る。
【０３８３】
1628:OSS/BSSは、ルートおよびリソース構成が成功したことを示す情報を受信する。
【０３８４】
1629:OSS/BSSは、第1の通信ユニットに、ルートおよびリソース構成が成功したことを示す情報を送る。
【０３８５】
1630:第1の通信ユニットは、ルートおよびリソース構成が成功したことを示す情報を受信する。
【０３８６】
本発明の本実施形態では、ステップ1418から1430の関連する記述については、図15に示した実施形態のステップ1304から1316の記述を参照すること。本発明の本実施形態における詳細はここには繰り返さない。
【０３８７】
図13または図15に示した実施形態において、サービスリンクルールがサービスリンクに関する情報を含んでいる場合、第1の通信ユニットは、また、サービスリンクに含まれるVNFの状態が異常かどうかを決定するために、第2の通信ユニットを使用することによって、サービスリンクに含まれるVNFの第1の情報を問い合わせることができることに注意されたい。第2の通信ユニットが、問い合わせを通じて、サービスリンクに含まれているVNFの状態が異常であることを取得した場合(たとえば、リソース負荷が事前設定しきい値を超えている)、第2の通信ユニットは、間に合うように第1の通信ユニットに異常情報をフィードバックするため、第1の通信ユニットは、サービスリンクルールを送るエンティティに異常情報をフィードバックし、次いで、サービスリンクルールを送るエンティティは、対応するポリシーに従って、たとえば、サービスリンクに関する情報を再度送るなど、対応する処理を実行する。サービスリンクルールがサービスリンクに関する情報を含んでいる場合に、第2の通信ユニットを使用することによって、サービスリンクに含まれるVNFの第1の情報を問い合わせる必要があるかどうかは、本発明の本実施形態では限定しない。
【０３８８】
上に記述したように、図13から図16Aおよび図16Bに示した実施形態では、第2の通信ユニットは、VIMの場合があるか、またはNFVIコントローラの場合があることに注意されたい。第2の通信ユニットがNFVIコントローラである場合、NFVIコントローラと直接的に通信するユニットは、一般的に、VIMである。すなわち、NFVIコントローラの以前のホップ通信ユニットは、一般的に、VIMである。具体例として、たとえば、図13に示した実施形態におけるステップ1306では、VNFMが第2の通信ユニットにルートおよびリソース構成要求メッセージを送る場合、特定の実装経路は、以下の場合がある。
VNFMによって、VIMにルートおよびリソース構成要求メッセージを送り、VIMによって、NFVIコントローラにルートおよびリソース構成要求メッセージを送り、これは、本発明の本実施形態では限定されない。
【０３８９】
本発明の本実施形態において提供されるNFVシステムにおけるサービス実装のための方法に基づいて、サービスリンクルールを取得した後、第1の通信ユニットは、サービスリンクルールに従って、サービスルートが通過するサービスリンクに関する情報を取得することができ、次いで、サービスリンクに関する情報に従って、サービスリンクに含まれるVNFに対するルートおよびリソース構成を実行することを要求するために、サービスリンクに関する情報を運ぶルートおよび構成要求メッセージを送り、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０３９０】
実施形態8
本発明の本実施形態は、第1の通信ユニット1700を提供する。図17に示すように、第1の通信ユニット1700は、
サービスリンクルール取得ユニット1701、サービスリンク情報取得ユニット1702、およびメッセージ送信ユニット1703
を含み、
サービスリンクルール取得ユニット1701は、サービスリンクルールを取得するように構成され、サービスリンクルールは、実行される必要のあるサービス処理を示すために使用され、
サービスリンク情報取得ユニット1702は、サービスリンクルール取得ユニット1701によって取得されたサービスリンクルールに従って、サービスルートが通過するサービスリンクに関する情報を取得するように構成され、
サービスリンクに関する情報は、サービスルートが通過する仮想化されたネットワーク機能VNFに関する情報を示すために使用され、VNFはサービス処理のために構成され、
メッセージ送信ユニット1703は、ルートおよびリソース構成要求メッセージを送るように構成され、ルートおよびリソース構成要求メッセージは、サービスリンクに関する情報に従って、サービスリンクに含まれるVNFに対するルートおよびリソース構成を実行することを要求するために、サービスリンク情報取得ユニット1702によって取得されたサービスリンクに関する情報を運ぶ。
【０３９１】
さらに、図18に示すように、第1の通信ユニット1700は、情報決定ユニット1704をさらに含み、
情報決定ユニット1704は、サービスリンク情報取得ユニット1702が、サービスリンクルール取得ユニット1701によって取得されたサービスリンクルールに従って、サービスルートが通過するサービスリンクに関する情報を取得する前に、サービスリンクルールがサービスリンクに関する情報を含むかどうかを決定するように構成され、
サービスリンク情報取得ユニット1702は、
情報決定モジュール17021、メッセージ送信モジュール17022、受信モジュール17023、および生成モジュール17024、
を含み、
情報決定モジュール17021は、サービスリンクルールがサービスリンクに関する情報を含んでいないと情報決定ユニット1704が決定した場合、サービスリンクルールに従って、サービスルートが通過するVNFのタイプおよびVNFのタイプの各VNFタイプに含まれるVNFの識別情報を決定するように構成され、
メッセージ送信モジュール17022は、問い合わせ要求メッセージを送るように構成され、問い合わせ要求メッセージは、VNFの識別情報に従って、各VNFタイプに含まれるVNFの第1の情報を問い合わせることを要求するために、各VNFタイプに含まれるVNFの情報決定モジュール17021によって決定された識別情報を運び、第1の情報は、ネットワーク機能仮想化インフラストラクチャNFVIのネットワークトポロジ、ノード能力、および状態を示すために使用され、
受信モジュール17023は、各VNFタイプに含まれるVNFの第1の情報を受信するように構成され、
生成モジュール17024は、各VNFタイプに含まれるVNFの受信モジュール17023によって受信される、第1の情報に従ってサービスリンクに関する情報を生成するように構成される。
【０３９２】
さらに、図19に示すように、サービスリンク情報取得ユニット1702は、取得モジュール17025をさらに含み、
取得モジュール17025は、サービスリンクルールがサービスリンクに関する情報を含んでいる場合、サービスリンクルールに含まれるサービスリンクに関する情報を取得するように構成される。
【０３９３】
さらに、メッセージ送信モジュール17022は、
VNFの識別情報に従って、各VNFタイプに含まれるVNFの第1の情報を問い合わせることを第2の通信ユニットに要求するために、第2の通信ユニットに問い合わせ要求メッセージを送る
ように構成される。
【０３９４】
可能な実装方法では、メッセージ送信モジュール17022は、
VNFマネージャVNFMを使用することによって第2の通信ユニットに問い合わせ要求メッセージを送るために、VNFMに問い合わせ要求メッセージを送る
ように構成される。
【０３９５】
好ましくは、メッセージ送信モジュール17022は、
VNFMを使用することによってネットワーク機能仮想化NFVオーケストレータNFVOに問い合わせ要求メッセージを送るため、およびNFVOを使用することによって第2の通信ユニットに問い合わせ要求メッセージを送るために、VNFMに問い合わせ要求メッセージを送る
ように構成される。
【０３９６】
別の可能な実装方法では、メッセージ送信モジュール17022は、
OSS/BSSを使用することによってNFVOに問い合わせ要求メッセージを送るため、およびNFVOを使用することによって第2の通信ユニットに問い合わせ要求メッセージを送るために、運用支援システム/ビジネス支援システムOSS/BSSに問い合わせ要求メッセージを送る
ように構成される。
【０３９７】
好ましくは、メッセージ送信モジュール17022は、
OSS/BSSを使用することによってNFVOに問い合わせ要求メッセージを送るため、NFVOを使用することによってVNFMに問い合わせ要求メッセージを送るため、およびVNFMを使用することによって第2の通信ユニットに問い合わせ要求メッセージを送るために、OSS/BSSに問い合わせ要求メッセージを送る
ように構成される。
【０３９８】
さらに、メッセージ送信ユニット1703は、
ルートおよびリソース構成を実行するように第2の通信ユニットに要求するために、第2の通信ユニットにルートおよびリソース構成要求メッセージを送る
ように構成される。
【０３９９】
可能な実装方法では、メッセージ送信ユニット1703は、
VNFMを使用することによって第2の通信ユニットにルートおよびリソース構成要求メッセージを送るために、VNFMにルートおよびリソース構成要求メッセージを送る
ように構成される。
【０４００】
好ましくは、メッセージ送信ユニット1703は、
VNFMを使用することによってNFVOにルートおよびリソース構成要求メッセージを送るため、およびNFVOを使用することによって第2の通信ユニットにルートおよびリソース構成要求メッセージを送るために、VNFMにルートおよびリソース構成要求メッセージを送る
ように構成される。
【０４０１】
別の可能な実装方法では、メッセージ送信ユニット1703は、
OSS/BSSを使用することによってNFVOにルートおよびリソース構成要求メッセージを送るため、およびNFVOを使用することによって第2の通信ユニットにルートおよびリソース構成要求メッセージを送るために、OSS/BSSにルートおよびリソース構成要求メッセージを送る
ように構成される。
【０４０２】
好ましくは、メッセージ送信ユニット1703は、
OSS/BSSを使用することによってNFVOにルートおよびリソース構成要求メッセージを送るため、NFVOを使用することによってVNFMにルートおよびリソース構成要求メッセージを送るため、およびVNFMを使用することによって第2の通信ユニットにルートおよびリソース構成要求メッセージを送るために、OSS/BSSにルートおよびリソース構成要求メッセージを送る
ように構成される。
【０４０３】
さらに、図20に示すように、第1の通信ユニット1700は、受信ユニット1705をさらに含み、
受信ユニット1705は、ルートおよびリソース構成が成功した場合、ルートおよびリソース構成が成功したことを示す情報を受信するように構成される。
【０４０４】
本発明の本実施形態では、第1の通信ユニットは、サービスリンクコントローラの場合があるか、またはPGW、PCRF、TDF、またはトラフィッククラシファイヤなどのネットワークノードの場合があり、これは、本発明の本実施形態では限定されない。サービスリンクコントローラの関連する記述については、実施形態1のステップ301の記述を参照すること。本発明の本実施形態における詳細はここでは繰り返さない。
【０４０５】
本発明の本実施形態において、PGW、PCRF、TDF、またはトラフィッククラシファイヤなどのネットワークノードは、VNFユニットの場合があるか、またはPNFユニットの場合があり、これは、本発明の本実施形態では限定されないことに注意されたい。
【０４０６】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４０７】
第1の通信ユニットによって実行されるNFVシステムにおけるサービス実装のための方法については、実施形態1または実施形態7の記述を参照すること。本発明の本実施形態における詳細はここには繰り返さない。
【０４０８】
本発明の本実施形態において提供される第1の通信ユニットに基づいて、サービスリンクルールを取得した後、第1の通信ユニットは、サービスリンクルールに従って、サービスルートが通過するサービスリンクに関する情報を取得することができ、次いで、サービスリンクに関する情報に従って、サービスリンクに含まれるVNFに対するルートおよびリソース構成を実行することを要求するために、サービスリンクに関する情報を運ぶルートおよび構成要求メッセージを送り、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４０９】
実施形態9
本発明の本実施形態は、第2の通信ユニット2100を提供する。図21に示すように、第2の通信ユニット2100は、受信ユニット2101および構成ユニット2102を含み、
受信ユニット2101は、ルートおよびリソース構成要求メッセージを受信するように構成され、ルートおよびリソース構成要求メッセージは、サービスリンクに関する情報に従って、サービスリンクに含まれる仮想化されたネットワーク機能VNFに対するルートおよびリソース構成を実行することを要求するために、サービスルートが通過するサービスリンクに関する情報を運び、
サービスリンクに関する情報は、サービスリンクルールに従って取得され、サービスリンクルールは、実行される必要のあるサービス処理を示すために使用され、サービスリンクに関する情報は、サービスルートが通過するVNFに関する情報を示すために使用され、VNFはサービス処理のために構成され、
構成ユニット2102は、受信ユニット2101によって受信されるサービスリンクに関する情報、およびネットワーク機能仮想化インフラストラクチャNFVIの物理的なリソースに関する情報に従って、サービスリンクに含まれるVNFに対するサービスルートおよびリソース構成を実行するように構成される。
【０４１０】
さらに、図22に示すように、第2の通信ユニット2100は、
問い合わせユニット2103および送信ユニット2104
をさらに含み、
受信ユニット2101は、ルートおよびリソース構成要求メッセージを受信する前に、問い合わせ要求メッセージを受信するようにさらに構成され、問い合わせ要求メッセージは、VNFの識別情報に従って、各VNFタイプに含まれるVNFの第1の情報を問い合わせることを要求するために、サービスルートが通過するVNFのタイプの各VNFタイプに含まれるVNFの識別情報を運び、第1の情報は、NFVIのネットワークトポロジ、ノード能力、および状態を示すために使用され、
問い合わせユニット2103は、受信ユニット2101によって受信された問い合わせ要求メッセージに従って、NFVIの物理的なリソースを問い合わせ、各VNFタイプに含まれるVNFの第1の情報を取得するように構成され、
送信ユニット2104は、各VNFタイプに含まれるVNFの第1の情報に従ってサービスリンクに関する情報を生成するために、各VNFタイプに含まれるVNFの問い合わせを通じて問い合わせユニット2103によって取得された第1の情報を送るように構成される。
【０４１１】
可能な実装方法では、受信ユニット2101は、
VNFマネージャVNFMによって送られたルートおよびリソース構成要求メッセージを受信する
ように構成される。
【０４１２】
別の可能な実装方法では、受信ユニット2101は、
VNF運用支援システム/ビジネス支援システムOSS/BSSによって送られたルートおよびリソース構成要求メッセージを受信する
ように構成される。
【０４１３】
さらに、送信ユニット2104は、
ルートおよびリソース構成が成功した場合、ルートおよびリソース構成が成功したことを示す情報を送る
ようにさらに構成される。
【０４１４】
本発明の本実施形態では、第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４１５】
第2の通信ユニットによって実行されるNFVシステムにおけるサービス実装のための方法については、実施形態2または実施形態7の記述を参照すること。本発明の本実施形態における詳細はここには繰り返さない。
【０４１６】
本発明の本実施形態において提供される第2の通信ユニットに基づいて、第2の通信ユニットは、ルートおよびリソース構成要求メッセージを受信することができ、ルートおよびリソース構成要求メッセージは、サービスリンクに関する情報に従って、サービスリンクに含まれるVNFに対するルートおよびリソース構成を実行することを要求するために、サービスルートが通過するサービスリンクに関する情報を運び、サービスリンクに関する情報、およびNFVIの物理的なリソースに関する情報に従って、サービスリンクに含まれるVNFに対するサービスルートおよびリソース構成を実行し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４１７】
実施形態10
本発明の本実施形態は、運用支援システム/ビジネス支援システムOSS/BSS 2300を提供する。図23に示すように、OSS/BSS 2300は、取得ユニット2301および送信ユニット2302を含み、
取得ユニット2301は、サービスルートが通過するサービスリンクテンプレート情報を取得するように構成され、
サービスリンクテンプレート情報は、サービスリンク識別子とサービスリンクに関する情報の対応を示すために使用され、
送信ユニット2302は、NFVオーケストレータNFVOに、取得ユニット2301によって取得されたサービスリンクテンプレート情報を送るように構成されるため、NFVOは、サービスリンクテンプレート情報に従って、サービスリンクテンプレートのサービスリンクに含まれる仮想化されたネットワーク機能VNFに対するルートおよびリソース構成を実行することを要求する。
【０４１８】
さらに、図24に示すように、OSS/BSS 2300は、受信ユニット2303をさらに含み、
受信ユニット2303は、サービスリンクテンプレート情報が受信されたことを示す情報を受信するように構成される。
【０４１９】
さらに、受信ユニット2303は、
ルートおよびリソース構成が成功した場合、ルートおよびリソース構成が成功したことを示す情報を受信する
ようにさらに構成される。
【０４２０】
OSS/BSSによって実行されるNFVシステムにおけるサービス実装のための方法については、実施形態3または実施形態6の記述を参照すること。本発明の本実施形態における詳細はここには繰り返さない。
【０４２１】
本発明の本実施形態において提供されるOSS/BSSに基づいて、OSS/BSSは、サービスルートが通過するサービスリンクテンプレート情報を取得し、サービスリンクテンプレート情報は、サービスリンク識別子とサービスリンクに関する情報の対応を示すために使用され、NFVOにサービスリンクテンプレート情報を送るため、NFVOは、サービスリンクテンプレート情報に従って、サービスリンクテンプレートのサービスリンクに含まれるVNFに対するルートおよびリソース構成を実行することを要求し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４２２】
実施形態11
本発明の本実施形態は、ネットワーク機能仮想化NFVオーケストレータNFVO 2500を提供する。図25に示すように、NFVO 2500は、
受信ユニット2501および送信ユニット2502
を含み、
受信ユニット2501は、サービスルートが通過するサービスリンクテンプレート情報を受信するように構成され、
サービスリンクテンプレート情報は、サービスリンク識別子とサービスリンクに関する情報の対応を示すために使用され、
送信ユニット2502は、ルートおよびリソース構成要求メッセージを送るように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、受信ユニット2501によって受信されたサービスリンクテンプレート情報を運ぶ。
【０４２３】
送信ユニット2502は、
サービスリンクテンプレート情報に従って、サービスリンクテンプレートのサービスリンクに含まれるVNFに対するルートおよびリソース構成を実行することを第2の通信ユニットに要求するために、第2の通信ユニットにルートおよびリソース構成要求メッセージを送る
ように構成され得る。
【０４２４】
さらに、送信ユニット2502は、
受信ユニット2501が、サービスルートが通過するサービスリンクテンプレート情報を受信した後、サービスリンクテンプレート情報が受信されたことを示す情報を送る
ようにさらに構成される。
【０４２５】
さらに、受信ユニット2501は、
ルートおよびリソース構成が成功した場合、ルートおよびリソース構成が成功したことを示す情報を受信する
ようにさらに構成される。
【０４２６】
本発明の本実施形態では、第2の通信ユニットは、VIMの場合があるか、または、NFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４２７】
NFVOによって実行されるNFVシステムにおけるサービス実装のための方法については、実施形態4または実施形態6の記述を参照すること。本発明の本実施形態における詳細はここには繰り返さない。
【０４２８】
本発明の本実施形態において提供されるNFVOに基づいて、NFVOは、サービスルートが通過するサービスリンクテンプレート情報を受信することができ、サービスリンクテンプレート情報は、サービスリンク識別子とサービスリンクに関する情報の対応を示すために使用され、次いで、ルートおよびリソース構成要求メッセージを送り、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運び、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４２９】
実施形態12
本発明の本実施形態は、第2の通信ユニット2600を提供する。図26に示すように、第2の通信ユニット2600は、
受信ユニット2601および構成ユニット2602を含み、
受信ユニット2601は、ルートおよびリソース構成要求メッセージを受信するように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、
サービスリンクテンプレート情報は、サービスリンク識別子とサービスリンクに関する情報の対応を示すために使用され、
構成ユニット2602は、受信ユニット2601によって受信されたサービスリンクテンプレート情報、およびネットワーク機能仮想化インフラストラクチャNFVIの物理的なリソースに関する情報に従って、サービスリンクテンプレートのサービスリンクに含まれるVNFに対するルートおよびリソース構成を実行するように構成される。
【０４３０】
受信ユニット2601は、
NFVオーケストレータNFVOによって送られたルートおよびリソース構成要求メッセージを受信する
ように構成され得る。
【０４３１】
さらに、図27に示すように、第2の通信ユニット2600は、送信ユニット2603をさらに含み、
送信ユニット2603は、ルートおよびリソース構成が成功した場合、ルートおよびリソース構成が成功したことを示す情報を送るように構成される。
【０４３２】
本発明の本実施形態では、第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４３３】
第2の通信ユニットによって実行されるNFVシステムにおけるサービス実装のための方法については、実施形態5または実施形態6の記述を参照すること。本発明の本実施形態における詳細はここには繰り返さない。
【０４３４】
本発明の本実施形態において提供される第2の通信ユニットに基づいて、第2の通信ユニットは、ルートおよびリソース構成要求メッセージを受信し、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、次いで、サービスリンクテンプレート情報、およびNFVIの物理的なリソースに関する情報に従って、サービスリンクテンプレートのサービスリンクに含まれるVNFに対するルートおよびリソース構成を実行し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４３５】
実施形態13
本発明の本実施形態は、第1の通信ユニット2800を提供する。図28に示すように、第1の通信ユニット2800は、プロセッサ2802および送信機2803を含み、
プロセッサ2802は、サービスリンクルールを取得するように構成され、サービスリンクルールは、実行される必要のあるサービス処理を示すために使用され、
プロセッサ2802は、サービスリンクルールに従って、サービスルートが通過するサービスリンクに関する情報を取得するようにさらに構成され、
サービスリンクに関する情報は、サービスルートが通過する仮想化されたネットワーク機能VNFに関する情報を示すために使用され、VNFはサービス処理のために構成され、
送信機2803は、ルートおよびリソース構成要求メッセージを送るように構成され、ルートおよびリソース構成要求メッセージは、サービスリンクに関する情報に従って、サービスリンクに含まれるVNFに対するルートおよびリソース構成を実行することを要求するために、プロセッサ2802によって取得されたサービスリンクに関する情報を運ぶ。
【０４３６】
さらに、プロセッサ2802は、サービスリンクルールに従って、サービスルートが通過するサービスリンクに関する情報を取得する前に、サービスリンクルールがサービスリンクに関する情報を含むかどうかを決定するようにさらに構成され、
サービスリンクルールに従って、サービスルートが通過するサービスリンクに関する情報を取得するようにさらに構成されているプロセッサ2802は、
サービスリンクルールがサービスリンクに関する情報を含んでいない場合、サービスリンクルールに従って、サービスルートが通過するVNFのタイプおよびVNFのタイプの各VNFタイプに含まれるVNFの識別情報を決定するステップと、
問い合わせ要求メッセージを送るステップであって、問い合わせ要求メッセージは、VNFの識別情報に従って、各VNFタイプに含まれるVNFの第1の情報を問い合わせることを要求するために、各VNFタイプに含まれるVNFの識別情報を運び、第1の情報は、ネットワーク機能仮想化インフラストラクチャNFVIのネットワークトポロジ、ノード能力、および状態を示すために使用される、ステップと、
各VNFタイプに含まれるVNFの第1の情報を受信するステップと、
各VNFタイプに含まれるVNFの第1の情報に従ってサービスリンクに関する情報を生成するステップと
を含む。
【０４３７】
さらに、サービスリンクルールに従って、サービスルートが通過するサービスリンクに関する情報を取得するように構成されているプロセッサ2802は、
サービスリンクルールがサービスリンクに関する情報を含んでいる場合、サービスリンクルールに含まれるサービスリンクに関する情報を取得するステップ
をさらに含む。
【０４３８】
プロセッサ2802によって、問い合わせ要求メッセージを送るステップは、
VNFの識別情報に従って、各VNFタイプに含まれるVNFの第1の情報を問い合わせることを第2の通信ユニットに要求するために、第2の通信ユニットに問い合わせ要求メッセージを送るステップ
を含むことができる。
【０４３９】
可能な実装方法では、プロセッサ2802によって、問い合わせ要求メッセージを送るステップは、
VNFMを使用することによって第2の通信ユニットに問い合わせ要求メッセージを送るために、VNFマネージャVNFMに問い合わせ要求メッセージを送るステップ
を含む。
【０４４０】
好ましくは、プロセッサ2802によって、問い合わせ要求メッセージを送るステップは、
VNFMを使用することによってネットワーク機能仮想化NFVオーケストレータNFVOに問い合わせ要求メッセージを送るため、およびNFVOを使用することによって第2の通信ユニットに問い合わせ要求メッセージを送るために、VNFMに問い合わせ要求メッセージを送るステップ
を含む。
【０４４１】
可能な実装方法では、プロセッサ2802によって、問い合わせ要求メッセージを送るステップは、
OSS/BSSを使用することによってNFVOに問い合わせ要求メッセージを送るため、およびNFVOを使用することによって第2の通信ユニットに問い合わせ要求メッセージを送るために、運用支援システム/ビジネス支援システムOSS/BSSに問い合わせ要求メッセージを送るステップ
を含む。
【０４４２】
好ましくは、プロセッサ2802によって、問い合わせ要求メッセージを送るステップは、
OSS/BSSを使用することによってNFVOに問い合わせ要求メッセージを送り、NFVOを使用することによってVNFMに問い合わせ要求メッセージを送り、VNFMを使用することによって第2の通信ユニットに問い合わせ要求メッセージを送るために、OSS/BSSに問い合わせ要求メッセージを送るステップ
を含む。
【０４４３】
さらに、送信機2803は、
ルートおよびリソース構成を実行するように第2の通信ユニットに要求するために、第2の通信ユニットにルートおよびリソース構成要求メッセージを送る
ように構成される。
【０４４４】
可能な実装方法では、送信機2803は、
VNFMを使用することによって第2の通信ユニットにルートおよびリソース構成要求メッセージを送るために、VNFMにルートおよびリソース構成要求メッセージを送る
ように構成される。
【０４４５】
好ましくは、送信機2803は、
VNFMを使用することによってNFVOにルートおよびリソース構成要求メッセージを送るため、およびNFVOを使用することによって第2の通信ユニットにルートおよびリソース構成要求メッセージを送るために、VNFMにルートおよびリソース構成要求メッセージを送る
ように構成される。
【０４４６】
別の可能な実装方法では、送信機2803は、
OSS/BSSを使用することによってNFVOにルートおよびリソース構成要求メッセージを送るため、およびNFVOを使用することによって第2の通信ユニットにルートおよびリソース構成要求メッセージを送るために、OSS/BSSにルートおよびリソース構成要求メッセージを送る
ように構成される。
【０４４７】
好ましくは、送信機2803は、
OSS/BSSを使用することによってNFVOにルートおよびリソース構成要求メッセージを送るため、NFVOを使用することによってVNFMにルートおよびリソース構成要求メッセージを送るため、およびVNFMを使用することによって第2の通信ユニットにルートおよびリソース構成要求メッセージを送るために、OSS/BSSにルートおよびリソース構成要求メッセージを送る
ように構成される。
【０４４８】
さらに、図29に示すように、第1の通信ユニット2800は、受信機2804をさらに含み、
受信機2804は、ルートおよびリソース構成が成功した場合、ルートおよびリソース構成が成功したことを示す情報を受信するように構成される。
【０４４９】
本発明の本実施形態では、第1の通信ユニットは、サービスリンクコントローラの場合があるか、またはPGW、PCRF、TDF、またはトラフィッククラシファイヤなどのネットワークノードの場合があり、これは、本発明の本実施形態では限定されない。サービスリンクコントローラの関連する記述については、実施形態1のステップ301の記述を参照すること。本発明の本実施形態における詳細はここには繰り返さない。
【０４５０】
本発明の本実施形態において、PGW、PCRF、TDF、またはトラフィッククラシファイヤなどのネットワークノードは、VNFユニットの場合があるか、またはPNFユニットの場合があり、これは、本発明の本実施形態では限定されないことに注意されたい。
【０４５１】
第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４５２】
第1の通信ユニットによって実行されるNFVシステムにおけるサービス実装のための方法については、実施形態1または実施形態7の記述を参照すること。本発明の本実施形態における詳細はここには繰り返さない。
【０４５３】
本発明の本実施形態において提供される第1の通信ユニットに基づいて、サービスリンクルールを取得した後、第1の通信ユニットは、サービスリンクルールに従って、サービスルートが通過するサービスリンクに関する情報を取得することができ、次いで、サービスリンクに関する情報に従って、サービスリンクに含まれるVNFに対するルートおよびリソース構成を実行することを要求するために、サービスリンクに関する情報を運ぶルートおよび構成要求メッセージを送り、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４５４】
実施形態14
本発明の本実施形態は、第2の通信ユニット3000を提供する。図30に示すように、第2の通信ユニット3000は、
受信機3002およびプロセッサ3003
を含み、
受信機3002は、ルートおよびリソース構成要求メッセージを受信するように構成され、ルートおよびリソース構成要求メッセージは、サービスリンクに関する情報に従って、サービスリンクに含まれる仮想化されたネットワーク機能VNFに対するルートおよびリソース構成を実行することを要求するために、サービスルートが通過するサービスリンクに関する情報を運び、
サービスリンクに関する情報は、サービスリンクルールに従って取得され、サービスリンクルールは、実行される必要のあるサービス処理を示すために使用され、サービスリンクに関する情報は、サービスルートが通過するVNFに関する情報を示すために使用され、VNFはサービス処理のために構成され、
プロセッサ3003は、受信機3002によって受信されたサービスリンクに関する情報、およびネットワーク機能仮想化インフラストラクチャNFVIの物理的なリソースに関する情報に従って、サービスリンクに含まれるVNFに対するサービスルートおよびリソース構成を実行するように構成される。
【０４５５】
さらに、図31に示すように、第2の通信ユニット3000は、
送信機3004
をさらに含み、
受信機3002は、ルートおよびリソース構成要求メッセージを受信する前に、問い合わせ要求メッセージを受信するようにさらに構成され、問い合わせ要求メッセージは、VNFの識別情報に従って、各VNFタイプに含まれるVNFの第1の情報を問い合わせることを要求するために、サービスルートが通過するVNFのタイプで各VNFタイプに含まれるVNFの識別情報を運び、第1の情報は、NFVIのネットワークトポロジ、ノード能力、および状態を示すために使用され、
プロセッサ3003は、受信機3002によって受信された問い合わせ要求メッセージに従って、NFVIの物理的なリソースを問い合わせ、各VNFタイプに含まれるVNFの第1の情報を取得するようにさらに構成され、
送信機3004は、各VNFタイプに含まれるVNFの第1の情報に従って、サービスリンクに関する情報を生成するために、各VNFタイプに含まれるVNFの問い合わせを通じてプロセッサ3003によって取得された、第1の情報を送るように構成される。
【０４５６】
可能な実装方法では、受信機3002は、
VNFマネージャVNFMによって送られたルートおよびリソース構成要求メッセージを受信する
ように構成され得る。
【０４５７】
別の可能な実装方法では、受信機3002は、
VNF運用支援システム/ビジネス支援システムOSS/BSSによって送られたルートおよびリソース構成要求メッセージを受信する
ように構成される。
【０４５８】
さらに、送信機3004は、
ルートおよびリソース構成が成功した場合、ルートおよびリソース構成が成功したことを示す情報を送る
ようにさらに構成される。
【０４５９】
本発明の本実施形態では、第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４６０】
第2の通信ユニットによって実行されるNFVシステムにおけるサービス実装のための方法については、実施形態2または実施形態7の記述を参照すること。本発明の本実施形態における詳細はここには繰り返さない。
【０４６１】
本発明の本実施形態において提供される第2の通信ユニットに基づいて、第2の通信ユニットは、ルートおよびリソース構成要求メッセージを受信することができ、ルートおよびリソース構成要求メッセージは、サービスリンクに関する情報に従って、サービスリンクに含まれるVNFに対するルートおよびリソース構成を実行することを要求するために、サービスルートが通過するサービスリンクに関する情報を運び、次いで、サービスリンクに関する情報、およびNFVIの物理的なリソースに関する情報に従って、サービスリンクに含まれるVNFに対するサービスルートおよびリソース構成を実行し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４６２】
実施形態15  本発明の本実施形態は、運用支援システム/ビジネス支援システムOSS/BSS 3200を提供する。図32に示すように、OSS/BSS 3200は、
プロセッサ3202および送信機3203
を含み、
プロセッサ3202は、サービスルートが通過するサービスリンクテンプレート情報を取得するように構成され、
サービスリンクテンプレート情報は、サービスリンク識別子とサービスリンクに関する情報の対応を示すために使用され、
送信機3203は、NFVオーケストレータNFVOに、プロセッサ3202によって取得されたサービスリンクテンプレート情報を送るように構成されるため、NFVOは、サービスリンクテンプレート情報に従って、サービスリンクテンプレートのサービスリンクに含まれる仮想化されたネットワーク機能VNFに対するルートおよびリソース構成を実行することを要求する。
【０４６３】
さらに、図33に示すように、OSS/BSS 3200は、受信機3204をさらに含み、
受信機3204は、サービスリンクテンプレート情報が受信されたことを示す情報を受信するように構成される。
【０４６４】
さらに、受信機3204は、
ルートおよびリソース構成が成功した場合、ルートおよびリソース構成が成功したことを示す情報を受信する
ようにさらに構成される。
【０４６５】
OSS/BSSによって実行されるNFVシステムにおけるサービス実装のための方法については、実施形態3または実施形態6の記述を参照すること。本発明の本実施形態における詳細はここには繰り返さない。
【０４６６】
本発明の本実施形態において提供されるOSS/BSSに基づいて、OSS/BSSは、サービスルートが通過するサービスリンクテンプレート情報を取得し、サービスリンクテンプレート情報は、サービスリンク識別子とサービスリンクに関する情報の対応を示すために使用され、NFVOにサービスリンクテンプレート情報を送るため、NFVOは、サービスリンクテンプレート情報に従って、サービスリンクテンプレートのサービスリンクに含まれるVNFに対するルートおよびリソース構成を実行することを要求し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４６７】
実施形態16
本発明の本実施形態は、ネットワーク機能仮想化NFVオーケストレータNFVO 3400を提供する。図34に示すように、NFVO 3400は、
受信機3402および送信機3403
を含み、
受信機3402は、サービスルートが通過するサービスリンクテンプレート情報を受信するように構成され、
サービスリンクテンプレート情報は、サービスリンク識別子とサービスリンクに関する情報の対応を示すために使用され、
送信機3403は、ルートおよびリソース構成要求メッセージを送るように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、受信機3402によって受信されたサービスリンクテンプレート情報を運ぶ。
【０４６８】
送信機3403は、
サービスリンクテンプレート情報に従って、サービスリンクテンプレートのサービスリンクに含まれるVNFに対するルートおよびリソース構成を実行することを第2の通信ユニットに要求するために、第2の通信ユニットにルートおよびリソース構成要求メッセージを送る
ように構成され得る。
【０４６９】
さらに、送信機3403は、
受信機3402が、サービスルートが通過するサービスリンクテンプレート情報を受信した後、サービスリンクテンプレート情報が受信されたことを示す情報を送る
ようにさらに構成される。
【０４７０】
さらに、受信機3402は、
ルートおよびリソース構成が成功した場合、ルートおよびリソース構成が成功したことを示す情報を受信する
ようにさらに構成される。
【０４７１】
本発明の本実施形態では、第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４７２】
NFVOによって実行されるNFVシステムにおけるサービス実装のための方法については、実施形態4または実施形態6の記述を参照すること。本発明の本実施形態における詳細はここには繰り返さない。
【０４７３】
本発明の本実施形態において提供されるNFVOに基づいて、NFVOは、サービスルートが通過するサービスリンクテンプレート情報を受信することができ、サービスリンクテンプレート情報は、サービスリンク識別子とサービスリンクに関する情報の対応を示すために使用され、ルートおよびリソース構成要求メッセージを送り、ルートおよびリソース構成要求メッセージは、サービスリンクテンプレート情報に従って、サービスリンクテンプレートのサービスリンクに含まれるVNFに対するルートおよびリソース構成を実行することを要求するために、サービスリンクテンプレート情報を運び、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４７４】
実施形態17
本発明の本実施形態は、第2の通信ユニット3500を提供する。図35に示すように、第2の通信ユニットは、
受信機3502およびプロセッサ3503
を含み、
受信機3502は、ルートおよびリソース構成要求メッセージを受信するように構成され、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、
サービスリンクテンプレート情報は、サービスリンク識別子とサービスリンクに関する情報の対応を示すために使用され、
プロセッサ3503は、受信機3502によって受信されたサービスリンクテンプレート情報、およびネットワーク機能仮想化インフラストラクチャNFVIの物理的なリソースに関する情報に従って、サービスリンクテンプレートのサービスリンクに含まれるVNFに対するルートおよびリソース構成を実行するように構成される。
【０４７５】
送信機3502は、
NFVオーケストレータNFVOによって送られたルートおよびリソース構成要求メッセージを受信する
ように構成され得る。
【０４７６】
さらに、図36に示すように、第2の通信ユニット3500は、送信機3504をさらに含み、
送信機3504は、ルートおよびリソース構成が成功した場合、ルートおよびリソース構成が成功したことを示す情報を送るように構成される。
【０４７７】
本発明の本実施形態では、第2の通信ユニットは、VIMの場合があるか、またはNFVIコントローラの場合があり、これは、本発明の本実施形態では限定されない。NFVIコントローラの関連する記述については、実施形態2のステップ501の部分を参照すること。本発明の本実施形態における詳細はここには繰り返さない。
【０４７８】
第2の通信ユニットによって実行されるNFVシステムにおけるサービス実装のための方法については、実施形態5または実施形態6の記述を参照すること。本発明の本実施形態における詳細はここには繰り返さない。
【０４７９】
本発明の本実施形態において提供される第2の通信ユニットに基づいて、第2の通信ユニットは、ルートおよびリソース構成要求メッセージを受信し、ルートおよびリソース構成要求メッセージは、サービスリンクテンプレート情報に従って、サービスリンクテンプレートのサービスリンクに含まれるVNFに対するルートおよびリソース構成を実行することを要求するために、サービスルートが通過するサービスリンクテンプレート情報を運び、次いで、サービスリンクテンプレート情報、およびNFVIの物理的なリソースに関する情報に従って、サービスリンクテンプレートのサービスリンクに含まれるVNFに対するルートおよびリソース構成を実行し、サービスリンクに関する上位レイヤ情報を取得し、サービスリンクに関する上位レイヤ情報を使用することによって、NFVIのルートおよびリソース構成を案内する機能を実装し、NFVネットワークサービスリンクの確立を実装する。
【０４８０】
便利さと簡潔な説明のために、前述の機能モジュールの分割は、上に記述した装置を示すための例として解釈されることは当業者によって明確に理解され得る。実際の用途では、前述の機能は、異なる機能モジュールに割り当てられ得、要件に従って実装され得る。すなわち、上に記述した機能のすべてまたは一部を実装するために、装置の内部機構は異なる機能モジュールに分割される。前述のシステム、装置、およびユニットの詳細な作業プロセスについて、前述の方法の実施形態における対応するプロセスが参照され得るため、詳細はここには再び記述しない。
【０４８１】
本出願で提供される複数の実施形態において、開示されたシステム、装置、および方法は、他の方法で実装され得ることを理解されたい。たとえば、記述した装置の実施形態は、例として示しているにすぎない。たとえば、モジュールまたはユニットの分割は、単に論理的な機能の分割であり、実際の実装では他の分割でもよい。たとえば、複数のユニットまたはコンポーネントは、別のシステムに結合もしくは統合され得るか、または一部の機能は、無視され得るか、もしくは実行されなくてもよい。加えて、表示もしくは記述された相互結合または直接結合もしくは通信接続は、一部のインターフェースを使用することによって実装され得る。装置またはユニットの間接的な結合または通信接続は、電子的、機械的、または他の形式で実装され得る。
【０４８２】
個別の部分として記述されたユニットは、物理的に個別の場合とそうでない場合があり、ユニットとして表示された部分は、物理的なユニットの場合とそうでない場合があり、1つの場所に位置するか、または複数のネットワークユニットで分散される場合がある。ユニットの一部またはすべては、実施形態の解決策の目的を達成するために、実際のニーズに従って選択され得る。
【０４８３】
加えて、本発明の実施形態の機能ユニットは、1つの処理ユニットへ統合され得るか、またはユニットの各々は、物理的に単独に存在することができるか、または2つ以上のユニットは、1つのユニットへと統合される。統合されたユニットは、ハードウェアの形で実装され得るか、またはソフトウェア機能ユニットの形で実装され得る。
【０４８４】
統合されたユニットが、ソフトウェア機能ユニットの形で実装され販売されるか、単独の製品として使用される場合、統合されたユニットは、コンピュータ可読記憶媒体に記憶され得る。そのような理解に基づいて、本質的に本発明の技術的解決法は、または従来技術に寄与する部分、または技術的解決法のすべてもしくは一部は、ソフトウェア製品の形で実装され得る。コンピュータソフトウェア製品は、記憶媒体に記憶され、本発明の実施形態に記述されている方法のステップのすべてまたは一部を実行するように、コンピュータデバイス(パーソナルコンピュータ、サーバ、またはネットワークデバイスの場合がある)またはプロセッサ(processor)に指示するための複数の命令を含む。前述の記憶媒体は、USBフラッシュドライブ、リムーバブルハードディスク、読み取り専用メモリ(ROM、Read-Only Memory)、ランダムアクセスメモリ(RAM、Random Access Memory)、磁気ディスク、または光ディスクなど、プログラムコードを記憶することができる任意の媒体を含む。
【０４８５】
前述の記述は、本発明の特定の実装方法にすぎず、本発明の保護範囲を制限することを意図するものではない。本発明で開示された技術的な範囲内において、当業者によって容易に理解される変形または交換も、本発明の保護範囲以内にあるものとする。したがって、本発明の保護範囲は、請求項の保護範囲に従うものとする。
【符号の説明】
【０４８６】
1700  第1の通信ユニット
1701  サービスリンクルール取得ユニット
1702  サービスリンク情報取得ユニット
1703  メッセージ送信ユニット
1704  情報決定ユニット
1705  受信ユニット
2100  第2の通信ユニット
2101  受信ユニット
2102  構成ユニット
2103  問い合わせユニット
2104  送信ユニット
2301  取得ユニット
2302  送信ユニット
2303  受信ユニット
2500  ネットワーク機能仮想化NFVオーケストレータNFVO
2501  受信ユニット
2502  送信ユニット
2600  第2の通信ユニット
2601  受信ユニット
2602  構成ユニット
2603  送信ユニット
2800  第1の通信ユニット
2802  プロセッサ
2803  送信機
2804  受信機
3000  第2の通信ユニット
3002  受信機
3003  プロセッサ
3004  送信機
3202  プロセッサ
3203  送信機
3204  受信機
3400  ネットワーク機能仮想化NFVオーケストレータNFVO
3402  受信機
3403  送信機
3500  第2の通信ユニット
3502  受信機
3503  プロセッサ
3504  送信機
17021  情報決定モジュール
17022  メッセージ送信モジュール
17023  受信モジュール
17024  生成モジュール
17025  取得モジュール
【図１】
0006408602.tif 000005
【図２】
0006408602.tif 000006
【図３】
0006408602.tif 000007
【図４】
0006408602.tif 000008
【図５】
0006408602.tif 000009
【図６】
0006408602.tif 000010
【図７】
0006408602.tif 000011
【図８】
0006408602.tif 000012
【図９】
0006408602.tif 000013
【図１０】
0006408602.tif 000014
【図１１】
0006408602.tif 000015
【図１２】
0006408602.tif 000016
【図１３】
0006408602.tif 000017
【図１４Ａ】
0006408602.tif 000018
【図１４Ｂ】
0006408602.tif 000019
【図１５】
0006408602.tif 000020
【図１６Ａ】
0006408602.tif 000021
【図１６Ｂ】
0006408602.tif 000022
【図１７】
0006408602.tif 000023
【図１８】
0006408602.tif 000024
【図１９】
0006408602.tif 000025
【図２０】
0006408602.tif 000026
【図２１】
0006408602.tif 000027
【図２２】
0006408602.tif 000028
【図２３】
0006408602.tif 000029
【図２４】
0006408602.tif 000030
【図２５】
0006408602.tif 000031
【図２６】
0006408602.tif 000032
【図２７】
0006408602.tif 000033
【図２８】
0006408602.tif 000034
【図２９】
0006408602.tif 000035
【図３０】
0006408602.tif 000036
【図３１】
0006408602.tif 000037
【図３２】
0006408602.tif 000038
【図３３】
0006408602.tif 000039
【図３４】
0006408602.tif 000040
【図３５】
0006408602.tif 000041
【図３６】
0006408602.tif 000042